(57)【要約】【課題】ＩＰモビリティ実現のための無線回線切替時に発生し易い通話途切れを防止し、通話相手が有線ブロードバンド回線に接続された固定端末等である場合、網の輻輳の発生を防止し、通話継続のための最低限の品質を保証できる通信システム等を提供する。【解決手段】携帯電話器２０が、広域網１４から中狭域の移動体通信網３４を通過して広域網１４へと移動する場合、送信部２６は網の通信性能に応じ広域網１４側に基本符号７０を送信し続け、中狭域の移動体通信網３４に在圏した際に中狭域の移動体通信網３４側に付加符号Ａ（７１）等を送信する。サーバ側送信部４４は、中狭域の移動体通信網３４側から付加符号Ａ（７１）等が送信されない場合、広域網１４側から送信された基本符号７０をＰＣ５０側へ送信し、中狭域の移動体通信網３４側から付加符号Ａ（７１）等が送信された場合、基本符号７０及び付加符号Ａ（７１）等をＰＣ５０側へ送信する。【選択図】  図１
2008005418.tif 000002
【特許請求の範囲】
【請求項１】
移動情報端末装置と、通信性能の異なる複数の移動体通信網とＩＰ網とを介して該移動情報端末装置と通信可能なサーバと、該サーバとＩＰ網を介して接続された情報端末装置とを備えた通信システムであって、
前記移動情報端末装置は、
通信用のデータから所定の通信品質を有する基本符号と該基本符号の通信品質を高める１つ以上の付加符号とを所定の方式に基づき作成する符号作成手段と、
前記符号作成手段により作成された基本符号と移動体通信網の通信性能に応じた数の付加符号とを前記サーバ側へ送信する送信手段とを備え、
前記サーバは、前記送信手段により送信された基本符号と移動体通信網の通信性能に応じた数の付加符号とを前記情報端末装置側へ送信するサーバ側送信手段を備えたことを特徴とする通信システム。
【請求項２】
請求項１記載の通信システムにおいて、前記移動情報端末装置が広域の移動体通信網の通信圏から該広域の移動体通信網の通信圏内の中狭域の移動体通信網の通信圏を通過して該広域の移動体通信網の通信圏へと移動する場合、
前記送信手段は、広域の移動体通信網側には前記基本符号を送信し続け、前記移動情報端末装置が中狭域の移動体通信網の通信圏に在圏した際に該中狭域の移動体通信網側に１つ以上の前記付加符号を送信し、
前記サーバ側送信手段は、
前記送信手段により中狭域の移動体通信網から付加符号が送信されない場合は広域の移動体通信網側から送信された基本符号を情報端末装置側へ送信し、前記送信手段により中狭域の移動体通信網側から１つ以上の付加符号が送信された場合は広域の移動体通信網側から送信された基本符号及び中狭域の移動体通信網側から送信された１つ以上の付加符号を情報端末装置側へ送信することを特徴とする通信システム。
【請求項３】
請求項１記載の通信システムにおいて、前記移動情報端末装置が広域の移動体通信網の通信圏から該広域の移動体通信網の通信圏内の中狭域の移動体通信網の通信圏を通過して該広域の移動体通信網の通信圏へと移動する場合、
前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合は該中狭域の移動体通信網側に基本符号及び１つ以上の付加符号を送信し、
前記サーバ側送信手段は、前記送信手段により中狭域の移動体通信網側から基本符号及び付加符号が送信されない場合は広域の移動体通信網側から送信された基本符号を情報端末装置側へ送信し、前記送信手段により中狭域の移動体通信網側から基本符号及び１つ以上の付加符号が送信された場合は該基本符号及び該１つ以上の付加符号を情報端末装置側へ送信することを特徴とする通信システム。
【請求項４】
請求項３記載の通信システムにおいて、
前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合に、中狭域の移動体通信網側の電波強度が所定の強度以上である場合は該中狭域の移動体通信網側に基本符号及び１つ以上の付加符号を送信し、中狭域の移動体通信網側の電波強度が所定の強度未満である場合は広域の移動体通信網側に基本符号を送信し且つ該中狭域の移動体通信網側に１つ以上の付加符号を送信し、
前記サーバ側送信手段は、前記送信手段により広域の移動体通信網側から基本符号が送信され且つ中狭域の移動体通信網側から１つ以上の付加符号又は基本符号及び１つ以上の付加符号のいずれも受信されない場合は広域の移動体通信網側から送信された基本符号を前記情報端末装置側へ送信し、前記送信手段により広域の移動体通信網側から基本符号が送信されない場合は中狭域の移動体通信網側から送信された基本符号及び１つ以上の付加符号を前記情報端末装置側へ送信し、前記送信手段により広域の移動体通信網側から基本符号が送信され且つ中狭域の移動体通信網側から１つ以上の付加符号が送信された場合は該基本符号及び該１つ以上の付加符号を前記情報端末装置側へ送信することを特徴とする通信システム。
【請求項５】
請求項１乃至４のいずれかに記載の通信システムにおいて、前記サーバ側送信手段が前記情報端末装置側へ送信する基本符号又は基本符号及び１つ以上の付加符号は、変換された所定の汎用符号であることを特徴とする通信システム。
【請求項６】
移動情報端末装置と、通信性能の異なる複数の移動体通信網とＩＰ網とを介して該移動情報端末装置と通信可能なサーバと、該サーバとＩＰ網を介して接続された情報端末装置とを備えた通信システムであって、
前記情報端末装置は、通信用のデータから所定の方式に基づき取り出した所定の通信品質を有する基本符号及び該基本符号の通信品質を高める１つ以上の付加符号を送信する情報端末装置側送信手段を備え、
前記サーバは、前記情報端末装置側送信手段により送信された基本符号及び１つ以上の付加符号から選択した符号を前記移動情報端末装置へ送信する選択送信手段を備えたことを特徴とする通信システム。
【請求項７】
請求項６記載の通信システムにおいて、前記移動情報端末装置が広域の移動体通信網の通信圏内の中狭域の移動体通信網の通信圏を通過して該広域の移動体通信網の通信圏へと移動する場合、
前記選択送信手段は、前記移動情報端末装置が中狭域の移動体通信網の通信圏に在圏している場合は前記情報端末装置側送信手段により送信された基本符号及び１つ以上の付加符号を該中狭域の移動体通信網側に送信し、前記移動情報端末装置が中狭域の移動体通信網の通信圏に在圏していない場合は前記情報端末装置側送信手段により送信された基本符号を選択して広域の移動体通信網側に送信することを特徴とする通信システム。
【請求項８】
移動情報端末装置と、該移動情報端末装置と中狭域の移動体通信網を介して通信可能なモビリティ機能を有するルータと、該ルータと広域の移動体通信網及びＩＰ網を介して通信可能な情報端末装置とを備えた通信システムであって、該情報端末装置と該移動情報端末装置との間の通信には通信用のデータから所定の方式に基づき取り出した所定の通信品質を有する基本符号及び該基本符号の通信品質を高める１つ以上の付加符号が用いられており、
前記ルータは、前記移動情報端末装置の数の増加による前記広域の移動体通信網の負荷の増大に応じて、該移動情報端末装置又は前記情報端末装置から送信された基本符号のみを中継する中継手段を備えたことを特徴とする通信システム。
【請求項９】
通信性能の異なる複数の移動体通信網とＩＰ網とを介して移動情報端末装置が情報端末装置と通信を行うための通信プログラムであって、該情報端末装置はＩＰ網を介してサーバと接続され、該サーバはＩＰ網及び移動体通信網を介して該移動情報端末装置と通信可能であり、該移動情報端末装置のコンピュータを、
通信用のデータから所定の通信品質を有する基本符号と該基本符号の通信品質を高める１つ以上の付加符号とを所定の方式に基づき作成する符号作成手段、
前記符号作成手段により作成された基本符号と移動体通信網の通信性能に応じた数の付加符号とを前記サーバ側へ送信する送信手段として機能させるための通信プログラムであって、該送信手段により送信された基本符号と移動体通信網の通信性能に応じた数の付加符号とが前記サーバにより前記情報端末装置側へ送信されることを特徴とする通信プログラム。
【請求項１０】
請求項９記載の通信プログラムにおいて、該移動情報端末装置が広域の移動体通信網の通信圏から該広域の移動体通信網の通信圏内の中狭域の移動体通信網の通信圏を通過して該広域の移動体通信網の通信圏へと移動する場合、
前記送信手段は、広域の移動体通信網側には基本符号を送信し続け、前記移動情報端末装置が中狭域の移動体通信網の通信圏に在圏した際に該中狭域の移動体通信網側に１つ以上の前記付加符号を送信し、
該送信手段により中狭域の移動体通信網側から付加符号が送信されない場合は広域の移動体通信網側から送信された基本符号が前記サーバにより前記情報端末装置側へ送信され、該送信手段により中狭域の移動体通信網側から１つ以上の付加符号が送信された場合は広域の移動体通信網側から送信された基本符号及び中狭域の移動体通信網側から送信された１つ以上の付加符号が前記サーバにより前記情報端末装置側へ送信されることを特徴とする通信プログラム。
【請求項１１】
請求項９記載の通信プログラムにおいて、前記移動情報端末装置が広域の移動体通信網の通信圏から該広域の移動体通信網の通信圏内の中狭域の移動体通信網の通信圏を通過して該広域の移動体通信網の通信圏へと移動する場合、
前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合は該中狭域の移動体通信網側に基本符号及び１つ以上の付加符号を送信し、
該送信手段により中狭域の移動体通信網側から基本符号及び付加符号が送信されない場合は広域の移動体通信網側から送信された基本符号が前記サーバにより前記情報端末装置側へ送信され、前記送信手段により中狭域の移動体通信網側から基本符号及び１つ以上の付加符号が送信された場合は該基本符号及び該１つ以上の付加符号が前記サーバにより前記情報端末装置側へ送信されることを特徴とする通信プログラム。
【請求項１２】
請求項１１記載の通信プログラムにおいて、前記送信手段は、
前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合に、中狭域の移動体通信網側の電波強度が所定の強度以上である場合は該中狭域の移動体通信網側に基本符号及び１つ以上の付加符号を送信し、中狭域の移動体通信網側の電波強度が所定の強度未満である場合は広域の移動体通信網側に基本符号を送信し且つ該中狭域の移動体通信網側に１つ以上の付加符号を送信し、
前記送信手段により広域の移動体通信網側から基本符号が送信され且つ中狭域の移動体通信網側から１つ以上の付加符号又は基本符号及び１つ以上の付加符号のいずれも受信されない場合は広域の移動体通信網側から送信された基本符号が前記サーバにより前記情報端末装置側へ送信され、前記送信手段により広域の移動体通信網側から基本符号が送信されない場合は中狭域の移動体通信網側から送信された基本符号及び１つ以上の付加符号が前記サーバにより前記情報端末装置側へ送信され、前記送信手段により広域の移動体通信網側から基本符号が送信され且つ中狭域の移動体通信網側から１つ以上の付加符号が送信された場合は該基本符号及び該１つ以上の付加符号が前記サーバにより前記情報端末装置側へ送信されることを特徴とする通信プログラム。
【請求項１３】
請求項９乃至１２のいずれかに記載の通信プログラムにおいて、前記サーバにより前記情報端末装置側へ送信される基本符号又は基本符号及び１つ以上の付加符号は、変換された所定の汎用符号であることを特徴とする通信プログラム。
【請求項１４】
ＩＰ網と通信性能の異なる複数の移動体通信網とを介する情報端末装置と移動情報端末装置との間の通信をサーバが中継するための通信プログラムであって、該情報端末装置はＩＰ網を介して該サーバと接続され、該移動情報端末装置は移動体通信網及びＩＰ網を介して該サーバと通信可能であり、該サーバのコンピュータを、
前記情報端末装置から送信された、通信用のデータから所定の方式に基づき取り出した所定の通信品質を有する基本符号及び該基本符号の通信品質を高める１つ以上の付加符号から選択した符号を前記移動情報端末装置へ送信する選択送信手段として機能させるための通信プログラム。
【請求項１５】
請求項１４記載の通信プログラムにおいて、前記移動情報端末装置が広域の移動体通信網の通信圏内の中狭域の移動体通信網の通信圏を通過して該広域の移動体通信網の通信圏へと移動する場合、
前記選択送信手段は、前記移動情報端末装置が中狭域の移動体通信網の通信圏に在圏している場合は前記情報端末装置側から送信された基本符号及び１つ以上の付加符号を選択して該中狭域の移動体通信網側に送信し、前記移動情報端末装置が中狭域の移動体通信網の通信圏に在圏していない場合は前記情報端末装置側から送信された基本符号を選択して広域の移動体通信網側に送信することを特徴とする通信プログラム。
【請求項１６】
通信性能の異なる複数の移動体通信網とＩＰ網とを介する移動情報端末装置と情報端末装置との間の通信をモビリティ機能を有するルータが中継するための通信プログラムであって、該移動情報端末装置は移動体通信網を介して該ルータと通信可能であり、該情報端末装置はＩＰ網及び移動体通信網を介して該ルータと通信可能であり、該移動情報端末装置と該情報端末装置との間の通信には通信用のデータから所定の方式に基づき取り出した所定の通信品質を有する基本符号及び該基本符号の通信品質を高める１つ以上の付加符号が用いられており、該ルータのコンピュータを、
前記移動情報端末装置の数の増加による前記広域の移動体通信網の負荷の増大に応じて、該移動情報端末装置又は前記情報端末装置から送信された基本符号のみを中継する中継手段として機能させるための通信プログラム。
【請求項１７】
請求項９乃至１６のいずれかに記載の通信プログラムを記録したコンピュータ読取り可能な記録媒体。
【請求項１８】
通信性能の異なる複数の移動体通信網とＩＰ網とを介した移動情報端末装置から情報端末装置への通信方法であって、該情報端末装置はＩＰ網を介してサーバと接続され、該移動情報端末装置は移動体通信網及びＩＰ網を介して該サーバと通信可能であり、
前記移動情報端末装置が、
通信用のデータから所定の通信品質を有する基本符号と該基本符号の通信品質を高める１つ以上の付加符号とを所定の方式に基づき作成する符号作成ステップと、
前記符号作成ステップで作成された基本符号と移動体通信網の通信性能に応じた数の付加符号とを前記サーバ側へ送信する送信ステップと、
前記サーバは、
前記送信ステップで送信された基本符号と移動体通信網の通信性能に応じた数の付加符号とを前記情報端末装置側へ送信するサーバ側送信ステップとを備えたことを特徴とする通信方法。
【請求項１９】
請求項１８記載の通信方法において、前記移動情報端末装置が広域の移動体通信網の通信圏から該広域の移動体通信網の通信圏内の中狭域の移動体通信網の通信圏を通過して該広域の移動体通信網の通信圏へと移動する場合、
前記送信ステップは、広域の移動体通信網側には基本符号を送信し続け、前記移動情報端末装置が中狭域の移動体通信網の通信圏に在圏した際に該中狭域の移動体通信網側に１つ以上の付加符号を送信し、
前記サーバ側送信ステップは、前記送信ステップで中狭域の移動体通信網側から付加符号が送信されない場合は広域の移動体通信網側から送信された基本符号を前記情報端末装置側へ送信し、前記送信ステップで中狭域の移動体通信網側から１つ以上の付加符号群が送信された場合は広域の移動体通信網側から送信された基本符号及び中狭域の移動体通信網側から送信された１つ以上の付加符号を前記情報端末装置側へ送信することを特徴とする通信方法。
【請求項２０】
請求項１８記載の通信方法において、前記移動情報端末装置が広域の移動体通信網の通信圏から該広域の移動体通信網の通信圏内の中狭域の移動体通信網の通信圏を通過して該広域の移動体通信網の通信圏へと移動する場合、
前記送信ステップは、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合は該中狭域の移動体通信網側に基本符号及び１つ以上の付加符号を送信し、
前記サーバ側送信ステップは、前記送信ステップで中狭域の移動体通信網側から基本符号及び付加符号が送信されない場合は広域の移動体通信網側から送信された基本符号を前記情報端末装置側へ送信し、前記送信ステップで中狭域の移動体通信網側から基本符号及び１つ以上の付加符号が送信された場合は該基本符号及び該１つ以上の付加符号を前記情報端末装置側へ送信することを特徴とする通信方法。
【請求項２１】
請求項２０記載の通信方法において、
前記送信ステップは、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合に、中狭域の移動体通信網側の電波強度が所定の強度以上である場合は該中狭域の移動体通信網側に基本符号及び１つ以上の付加符号を送信し、中狭域の移動体通信網側の電波強度が所定の強度未満である場合は広域の移動体通信網側に基本符号を送信し且つ該中狭域の移動体通信網側に１つ以上の付加符号を送信し、
前記サーバ側送信ステップは、前記送信ステップで広域の移動体通信網側から基本符号が送信され且つ中狭域の移動体通信網側から１つ以上の付加符号又は基本符号及び１つ以上の付加符号のいずれも受信されない場合は広域の移動体通信網側から送信された基本符号を前記情報端末装置側へ送信し、前記送信ステップで広域の移動体通信網側から基本符号が送信されない場合は中狭域の移動体通信網側から送信された基本符号及び１つ以上の付加符号を前記情報端末装置側へ送信し、前記送信ステップで広域の移動体通信網側から基本符号が送信され且つ中狭域の移動体通信網側から１つ以上の付加符号が送信された場合は該基本符号及び該１つ以上の付加符号を前記情報端末装置側へ送信することを特徴とする通信方法。
【請求項２２】
請求項１８乃至２１のいずれかに記載の通信方法において、前記サーバ側送信ステップで前記情報端末装置側へ送信する基本符号又は基本符号及び１つ以上の付加符号は、変換された所定の汎用符号であることを特徴とする通信方法。
【請求項２３】
通信性能の異なる複数の移動体通信網とＩＰ網とを介した情報端末装置から移動情報端末装置への通信方法であって、該情報端末装置はＩＰ網を介してサーバと接続され、該移動情報端末装置は移動体通信網及びＩＰ網を介して該サーバと通信可能であり、
前記情報端末装置が、通信用のデータから所定の方式に基づき取り出した所定の通信品質を有する基本符号及び該基本符号の通信品質を高める１つ以上の付加符号を送信する情報端末装置側送信ステップと、
前記サーバが、前記情報端末装置側送信ステップで送信された基本符号及び１つ以上の付加符号から選択した符号を前記移動情報端末装置へ送信する選択送信ステップとを備えたことを特徴とする通信方法。
【請求項２４】
請求項２３記載の通信方法において、前記移動情報端末装置が広域の移動体通信網の通信圏内の中狭域の移動体通信網の通信圏を通過して該広域の移動体通信網の通信圏へと移動する場合、
前記選択送信ステップは、前記移動情報端末装置が中狭域の移動体通信網の通信圏に在圏している場合は前記情報端末装置側送信ステップで送信された基本符号及び１つ以上の付加符号を該中狭域の移動体通信網側に送信し、前記移動情報端末装置が中狭域の移動体通信網の通信圏に在圏していない場合は前記情報端末装置側送信ステップで送信された基本符号を選択して広域の移動体通信網側に送信することを特徴とする通信方法。
【請求項２５】
通信性能の異なる複数の移動体通信網とＩＰ網とを介した情報端末装置と移動情報端末装置との間の通信方法であって、該情報端末装置はＩＰ網及び広域の移動体通信網を介してモビリティ機能を有するルータと接続され、該移動情報端末装置は中狭域の移動体通信網を介して該ルータと通信可能であり、前記情報端末装置と前記移動情報端末装置との間の通信には通信用のデータから所定の方式に基づき取り出した所定の通信品質を有する基本符号及び該基本符号の通信品質を高める１つ以上の付加符号群が用いられており、
前記ルータが、前記移動情報端末装置の数の増加による前記広域の移動体通信網の負荷の増大に応じて、該移動情報端末装置又は前記情報端末装置から送信された基本符号のみを中継することを特徴とする通信方法。
【発明の詳細な説明】
【技術分野】
【０００１】
本発明は、移動情報端末装置と、通信性能の異なる複数の移動体通信網とＩＰ（Internet Protocol）網とを介して当該移動情報端末装置と通信可能なサーバと、当該サーバとＩＰ網を介して接続された情報端末装置とを備えた通信システム等に関する。
【背景技術】
【０００２】
従来、電話の音声をＩＰパケットへ変換するＶｏＩＰ（Voice over ＩＰ）対応の製品を利用したＩＰ網を介するＩＰ電話が実現されている。近年では、複数の無線方式、例えばＦＯＭＡ（登録商標）および無線ＬＡＮ等の無線方式を搭載した携帯電話器等が市販されており、無線ＩＰ電話システムも実用域に入ってきている（非特許文献１）。このような無線ＩＰ電話システムでは、ＩＰ網上で携帯電話器等が網間を移動した場合に、ホーム・アドレスと気付アドレス（care-of address）とを管理するモバイルＩＰ方式を用いることにより、通話を継続したまま自動的に電話事業者を切替えて無線回線の切替を行っている。このようにモバイルＩＰ方式を用いることにより、ＩＰアドレスが変わった場合の通信継続性であるＩＰモビリティを実現している。
【０００３】
上述のような無線ＩＰ電話システムにおいて、携帯電話器等の通話相手が有線ブロードバンド回線に接続されている固定端末等である場合、携帯電話器等が無線ＬＡＮから移動体通信網へ回線の切替を行うと、無線通信状態は悪化する。その理由は、固定端末等が無線通信状態の良かった状態の帯域で、しばらくはそのままデータを送り続けるためである。このような状況に対処するために、一般的に、携帯電話器等と固定端末等との間で無線通信状態を通知し合うことにより帯域の変更を行なっている。しかし、急な回線の切替には追従できず、数秒間通話ができなくなるという網の輻輳状態が起きてしまうことがあった。網の輻輳状態が起きてしまうと帯域の変更通知すら通話相手へ届かなくなってしまうことになる。このような網の輻輳状態に対処するため、網の輻輳を監視し、輻輳検出時にユーザ優先度およびコンテンツ属性等に応じて廃棄するパケットを選択するシステムの開発も行われている（特許文献１参照）。
【０００４】
【非特許文献１】ＫＤＤＩ、“「企業内無線ＩＰ電話システム」と「無線ＬＡＮ対応携帯電話」の接続に関する共同検証の実施について。〜無線ＩＰ電話システムと無線ＬＡＮ対応携帯電話を接続し高品質な通信環境を実現〜”、［online］、ニュースリリース、２００５年１２月１日、［平成１８年４月１０日検索］、インターネット<URL: http://www.kddi.com/corporate/news_release/2005/1201/index.html>
【特許文献１】特開２００５−２０４１５７号公報
【発明の開示】
【発明が解決しようとする課題】
【０００５】
上述したモバイルＩＰ方式を用いることによりＩＰモビリティを実現している場合、切替時に通話途切れが発生しやすく、当該品質不良に対応することができないという問題があった。携帯電話器等の通話相手が有線ブロードバンド回線に接続されている固定端末等である場合、上述のように網の切替時に数秒間通話ができなくなるという網の輻輳状態が起きてしまうことがあった。しかし、輻輳検出時にユーザ優先度およびコンテンツ属性等に応じて廃棄するパケットを選択する上記従来のシステムでは、１つのコンテンツがとにかく通話相手側に届くという、通話を継続するための最低限の品質は保証されていないという問題があった。
【０００６】
そこで、本発明の目的は、上記問題を解決するためになされたものであり、ＩＰモビリティを実現するために無線回線の切替を行う場合、切替時に発生しやすい通話途切れを防止することができる通信システム等を提供することにある。
【０００７】
本発明の第２の目的は、上記問題を解決するためになされたものであり、携帯電話器等の通話相手が有線ブロードバンド回線に接続されている固定端末等である場合、網の輻輳が発生することを防止することができ、通話を継続するための最低限の品質を保証することができる通信システム等を提供することにある。
【課題を解決するための手段】
【０００８】
この発明の通信システムは、移動情報端末装置と、通信性能の異なる複数の移動体通信網とＩＰ網とを介して該移動情報端末装置と通信可能なサーバと、該サーバとＩＰ網を介して接続された情報端末装置とを備えた通信システムであって、前記移動情報端末装置は、通信用のデータから所定の通信品質を有する基本符号と該基本符号の通信品質を高める１つ以上の付加符号とを所定の方式に基づき作成する符号作成手段と、前記符号作成手段により作成された基本符号と移動体通信網の通信性能に応じた数の付加符号とを前記サーバ側へ送信する送信手段とを備え、前記サーバは、前記送信手段により送信された基本符号と移動体通信網の通信性能に応じた数の付加符号とを前記情報端末装置側へ送信するサーバ側送信手段を備えたことを特徴とする。
【０００９】
ここで、この発明の通信システムにおいて、前記移動情報端末装置が広域の移動体通信網の通信圏から該広域の移動体通信網の通信圏内の中狭域の移動体通信網の通信圏を通過して該広域の移動体通信網の通信圏へと移動する場合、前記送信手段は、広域の移動体通信網側には前記基本符号を送信し続け、前記移動情報端末装置が中狭域の移動体通信網の通信圏に在圏した際に該中狭域の移動体通信網側に１つ以上の前記付加符号を送信し、前記サーバ側送信手段は、前記送信手段により中狭域の移動体通信網側から付加符号が送信されない場合は広域の移動体通信網側から送信された基本符号を情報端末装置側へ送信し、前記送信手段により中狭域の移動体通信網側から１つ以上の付加符号が送信された場合は広域の移動体通信網側から送信された基本符号及び中狭域の移動体通信網側から送信された１つ以上の付加符号を情報端末装置側へ送信することができる。
【００１０】
ここで、この発明の通信システムにおいて、前記移動情報端末装置が広域の移動体通信網の通信圏から該広域の移動体通信網の通信圏内の中狭域の移動体通信網の通信圏を通過して該広域の移動体通信網の通信圏へと移動する場合、前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合は該中狭域の移動体通信網側に基本符号及び１つ以上の付加符号を送信し、前記サーバ側送信手段は、前記送信手段により中狭域の移動体通信網側から基本符号及び付加符号が送信されない場合は広域の移動体通信網側から送信された基本符号を情報端末装置側へ送信し、前記送信手段により中狭域の移動体通信網側から基本符号及び１つ以上の付加符号が送信された場合は該基本符号及び該１つ以上の付加符号を情報端末装置側へ送信することができる。
【００１１】
ここで、この発明の通信システムにおいて、前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合に、中狭域の移動体通信網側の電波強度が所定の強度以上である場合は該中狭域の移動体通信網側に基本符号及び１つ以上の付加符号を送信し、中狭域の移動体通信網側の電波強度が所定の強度未満である場合は広域の移動体通信網側に基本符号を送信し且つ該中狭域の移動体通信網側に１つ以上の付加符号を送信し、前記サーバ側送信手段は、前記送信手段により広域の移動体通信網側から基本符号が送信され且つ中狭域の移動体通信網側から１つ以上の付加符号又は基本符号及び１つ以上の付加符号のいずれも受信されない場合は広域の移動体通信網側から送信された基本符号を前記情報端末装置側へ送信し、前記送信手段により広域の移動体通信網側から基本符号が送信されない場合は中狭域の移動体通信網側から送信された基本符号及び１つ以上の付加符号を前記情報端末装置側へ送信し、前記送信手段により広域の移動体通信網側から基本符号が送信され且つ中狭域の移動体通信網側から１つ以上の付加符号が送信された場合は該基本符号及び該１つ以上の付加符号を前記情報端末装置側へ送信することができる。
【００１２】
ここで、この発明の通信システムにおいて、前記サーバ側送信手段が前記情報端末装置側へ送信する基本符号又は基本符号及び１つ以上の付加符号は、変換された所定の汎用符号であるものとすることができる。
【００１３】
この発明の通信システムは、移動情報端末装置と、通信性能の異なる複数の移動体通信網とＩＰ網とを介して該移動情報端末装置と通信可能なサーバと、該サーバとＩＰ網を介して接続された情報端末装置とを備えた通信システムであって、前記情報端末装置は、通信用のデータから所定の方式に基づき取り出した所定の通信品質を有する基本符号及び該基本符号の通信品質を高める１つ以上の付加符号を送信する情報端末装置側送信手段を備え、前記サーバは、前記情報端末装置側送信手段により送信された基本符号及び１つ以上の付加符号から選択した符号を前記移動情報端末装置へ送信する選択送信手段を備えたことを特徴とする。
【００１４】
ここで、この発明の通信システムにおいて、前記移動情報端末装置が広域の移動体通信網の通信圏内の中狭域の移動体通信網の通信圏を通過して該広域の移動体通信網の通信圏へと移動する場合、前記選択送信手段は、前記移動情報端末装置が中狭域の移動体通信網の通信圏に在圏している場合は前記情報端末装置側送信手段により送信された基本符号及び１つ以上の付加符号を該中狭域の移動体通信網側に送信し、前記移動情報端末装置が中狭域の移動体通信網の通信圏に在圏していない場合は前記情報端末装置側送信手段により送信された基本符号を選択して広域の移動体通信網側に送信することができる。
【００１５】
この発明の通信システムは、移動情報端末装置と、該移動情報端末装置と中狭域の移動体通信網を介して通信可能なモビリティ機能を有するルータと、該ルータと広域の移動体通信網及びＩＰ網を介して通信可能な情報端末装置とを備えた通信システムであって、該情報端末装置と該移動情報端末装置との間の通信には通信用のデータから所定の方式に基づき取り出した所定の通信品質を有する基本符号及び該基本符号の通信品質を高める１つ以上の付加符号が用いられており、前記ルータは、前記移動情報端末装置の数の増加による前記広域の移動体通信網の負荷の増大に応じて、該移動情報端末装置又は前記情報端末装置から送信された基本符号のみを中継する中継手段を備えたことを特徴とする。
【００１６】
この発明の通信プログラムは、通信性能の異なる複数の移動体通信網とＩＰ網とを介して移動情報端末装置が情報端末装置と通信を行うための通信プログラムであって、該情報端末装置はＩＰ網を介してサーバと接続され、該サーバはＩＰ網及び移動体通信網を介して該移動情報端末装置と通信可能であり、該移動情報端末装置のコンピュータを、通信用のデータから所定の通信品質を有する基本符号と該基本符号の通信品質を高める１つ以上の付加符号とを所定の方式に基づき作成する符号作成手段、前記符号作成手段により作成された基本符号と移動体通信網の通信性能に応じた数の付加符号とを前記サーバ側へ送信する送信手段として機能させるための通信プログラムであって、該送信手段により送信された基本符号と移動体通信網の通信性能に応じた数の付加符号とが前記サーバにより前記情報端末装置側へ送信されることを特徴とする。
【００１７】
ここで、この発明の通信プログラムにおいて、該移動情報端末装置が広域の移動体通信網の通信圏から該広域の移動体通信網の通信圏内の中狭域の移動体通信網の通信圏を通過して該広域の移動体通信網の通信圏へと移動する場合、前記送信手段は、広域の移動体通信網側には基本符号を送信し続け、前記移動情報端末装置が中狭域の移動体通信網の通信圏に在圏した際に該中狭域の移動体通信網側に１つ以上の前記付加符号を送信し、該送信手段により中狭域の移動体通信網側から付加符号が送信されない場合は広域の移動体通信網側から送信された基本符号が前記サーバにより前記情報端末装置側へ送信され、該送信手段により中狭域の移動体通信網側から１つ以上の付加符号が送信された場合は広域の移動体通信網側から送信された基本符号及び中狭域の移動体通信網側から送信された１つ以上の付加符号が前記サーバにより前記情報端末装置側へ送信されることができる。
【００１８】
ここで、この発明の通信プログラムにおいて、前記移動情報端末装置が広域の移動体通信網の通信圏から該広域の移動体通信網の通信圏内の中狭域の移動体通信網の通信圏を通過して該広域の移動体通信網の通信圏へと移動する場合、前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合は該中狭域の移動体通信網側に基本符号及び１つ以上の付加符号を送信し、該送信手段により中狭域の移動体通信網側から基本符号及び付加符号が送信されない場合は広域の移動体通信網側から送信された基本符号が前記サーバにより前記情報端末装置側へ送信され、前記送信手段により中狭域の移動体通信網側から基本符号及び１つ以上の付加符号が送信された場合は該基本符号及び該１つ以上の付加符号が前記サーバにより前記情報端末装置側へ送信されることができる。
【００１９】
ここで、この発明の通信プログラムにおいて、前記送信手段は、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合に、中狭域の移動体通信網側の電波強度が所定の強度以上である場合は該中狭域の移動体通信網側に基本符号及び１つ以上の付加符号を送信し、中狭域の移動体通信網側の電波強度が所定の強度未満である場合は広域の移動体通信網側に基本符号を送信し且つ該中狭域の移動体通信網側に１つ以上の付加符号を送信し、前記送信手段により広域の移動体通信網側から基本符号が送信され且つ中狭域の移動体通信網側から１つ以上の付加符号又は基本符号及び１つ以上の付加符号のいずれも受信されない場合は広域の移動体通信網側から送信された基本符号が前記サーバにより前記情報端末装置側へ送信され、前記送信手段により広域の移動体通信網側から基本符号が送信されない場合は中狭域の移動体通信網側から送信された基本符号及び１つ以上の付加符号が前記サーバにより前記情報端末装置側へ送信され、前記送信手段により広域の移動体通信網側から基本符号が送信され且つ中狭域の移動体通信網側から１つ以上の付加符号が送信された場合は該基本符号及び該１つ以上の付加符号が前記サーバにより前記情報端末装置側へ送信されることができる。
【００２０】
ここで、この発明の通信プログラムにおいて、前記サーバにより前記情報端末装置側へ送信される基本符号又は基本符号及び１つ以上の付加符号は、変換された所定の汎用符号であるものとすることができる。
【００２１】
この発明の通信プログラムは、ＩＰ網と通信性能の異なる複数の移動体通信網とを介する情報端末装置と移動情報端末装置との間の通信をサーバが中継するための通信プログラムであって、該情報端末装置はＩＰ網を介して該サーバと接続され、該移動情報端末装置は移動体通信網及びＩＰ網を介して該サーバと通信可能であり、該サーバのコンピュータを、前記情報端末装置から送信された、通信用のデータから所定の方式に基づき取り出した所定の通信品質を有する基本符号及び該基本符号の通信品質を高める１つ以上の付加符号から選択した符号を前記移動情報端末装置へ送信する選択送信手段として機能させるための通信プログラムである。
【００２２】
ここで、この発明の通信プログラムにおいて、前記移動情報端末装置が広域の移動体通信網の通信圏内の中狭域の移動体通信網の通信圏を通過して該広域の移動体通信網の通信圏へと移動する場合、前記選択送信手段は、前記移動情報端末装置が中狭域の移動体通信網の通信圏に在圏している場合は前記情報端末装置側から送信された基本符号及び１つ以上の付加符号を選択して該中狭域の移動体通信網側に送信し、前記移動情報端末装置が中狭域の移動体通信網の通信圏に在圏していない場合は前記情報端末装置側から送信された基本符号を選択して広域の移動体通信網側に送信することができる。
【００２３】
この発明の通信プログラムは、通信性能の異なる複数の移動体通信網とＩＰ網とを介する移動情報端末装置と情報端末装置との間の通信をモビリティ機能を有するルータが中継するための通信プログラムであって、該移動情報端末装置は移動体通信網を介して該ルータと通信可能であり、該情報端末装置はＩＰ網及び移動体通信網を介して該ルータと通信可能であり、該移動情報端末装置と該情報端末装置との間の通信には通信用のデータから所定の方式に基づき取り出した所定の通信品質を有する基本符号及び該基本符号の通信品質を高める１つ以上の付加符号が用いられており、該ルータのコンピュータを、前記移動情報端末装置の数の増加による前記広域の移動体通信網の負荷の増大に応じて、該移動情報端末装置又は前記情報端末装置から送信された基本符号のみを中継する中継手段として機能させるための通信プログラムである。
【００２４】
この発明の記録媒体は、本発明の１つ以上の通信プログラムを記録したコンピュータ読取り可能な記録媒体である。
【００２５】
この発明の通信方法は、通信性能の異なる複数の移動体通信網とＩＰ網とを介した移動情報端末装置から情報端末装置への通信方法であって、該情報端末装置はＩＰ網を介してサーバと接続され、該移動情報端末装置は移動体通信網及びＩＰ網を介して該サーバと通信可能であり、前記移動情報端末装置が、通信用のデータから所定の通信品質を有する基本符号と該基本符号の通信品質を高める１つ以上の付加符号とを所定の方式に基づき作成する符号作成ステップと、前記符号作成ステップで作成された基本符号と移動体通信網の通信性能に応じた数の付加符号とを前記サーバ側へ送信する送信ステップと、前記サーバは、前記送信ステップで送信された基本符号と移動体通信網の通信性能に応じた数の付加符号とを前記情報端末装置側へ送信するサーバ側送信ステップとを備えたことを特徴とする。
【００２６】
ここで、この発明の通信方法において、前記移動情報端末装置が広域の移動体通信網の通信圏から該広域の移動体通信網の通信圏内の中狭域の移動体通信網の通信圏を通過して該広域の移動体通信網の通信圏へと移動する場合、前記送信ステップは、広域の移動体通信網側には基本符号を送信し続け、前記移動情報端末装置が中狭域の移動体通信網の通信圏に在圏した際に該中狭域の移動体通信網側に１つ以上の付加符号を送信し、前記サーバ側送信ステップは、前記送信ステップで中狭域の移動体通信網側から付加符号が送信されない場合は広域の移動体通信網側から送信された基本符号を前記情報端末装置側へ送信し、前記送信ステップで中狭域の移動体通信網側から１つ以上の付加符号群が送信された場合は広域の移動体通信網側から送信された基本符号及び中狭域の移動体通信網側から送信された１つ以上の付加符号を前記情報端末装置側へ送信することができる。
【００２７】
ここで、この発明の通信方法において、前記移動情報端末装置が広域の移動体通信網の通信圏から該広域の移動体通信網の通信圏内の中狭域の移動体通信網の通信圏を通過して該広域の移動体通信網の通信圏へと移動する場合、前記送信ステップは、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合は該中狭域の移動体通信網側に基本符号及び１つ以上の付加符号を送信し、前記サーバ側送信ステップは、前記送信ステップで中狭域の移動体通信網側から基本符号及び付加符号が送信されない場合は広域の移動体通信網側から送信された基本符号を前記情報端末装置側へ送信し、前記送信ステップで中狭域の移動体通信網側から基本符号及び１つ以上の付加符号が送信された場合は該基本符号及び該１つ以上の付加符号を前記情報端末装置側へ送信することができる。
【００２８】
ここで、この発明の通信方法において、前記送信ステップは、前記移動情報端末装置が中狭域の移動体通信網の通信圏に在圏していない場合は広域の移動体通信網側に基本符号を送信し、前記移動情報端末装置が中狭域の移動体通信網の通信圏に在圏している場合に、中狭域の移動体通信網側の電波強度が所定の強度以上である場合は該中狭域の移動体通信網側に基本符号及び１つ以上の付加符号を送信し、中狭域の移動体通信網側の電波強度が所定の強度未満である場合は広域の移動体通信網側に基本符号を送信し且つ該中狭域の移動体通信網側に１つ以上の付加符号を送信し、前記サーバ側送信ステップは、前記送信ステップで広域の移動体通信網側から基本符号が送信され且つ中狭域の移動体通信網側から１つ以上の付加符号又は基本符号及び１つ以上の付加符号のいずれも受信されない場合は広域の移動体通信網側から送信された基本符号を前記情報端末装置側へ送信し、前記送信ステップで広域の移動体通信網側から基本符号が送信されない場合は中狭域の移動体通信網側から送信された基本符号及び１つ以上の付加符号を前記情報端末装置側へ送信し、前記送信ステップで広域の移動体通信網側から基本符号が送信され且つ中狭域の移動体通信網側から１つ以上の付加符号が送信された場合は該基本符号及び該１つ以上の付加符号を前記情報端末装置側へ送信することができる。
【００２９】
ここで、この発明の通信方法において、前記サーバ側送信ステップで前記情報端末装置側へ送信する基本符号又は基本符号及び１つ以上の付加符号は、変換された所定の汎用符号であるものとすることができる。
【００３０】
この発明の通信方法は、通信性能の異なる複数の移動体通信網とＩＰ網とを介した情報端末装置から移動情報端末装置への通信方法であって、該情報端末装置はＩＰ網を介してサーバと接続され、該移動情報端末装置は移動体通信網及びＩＰ網を介して該サーバと通信可能であり、前記情報端末装置が、通信用のデータから所定の方式に基づき取り出した所定の通信品質を有する基本符号及び該基本符号の通信品質を高める１つ以上の付加符号を送信する情報端末装置側送信ステップと、前記サーバが、前記情報端末装置側送信ステップで送信された基本符号及び１つ以上の付加符号から選択した符号を前記移動情報端末装置へ送信する選択送信ステップとを備えたことを特徴とする。
【００３１】
ここで、この発明の通信方法において、前記移動情報端末装置が広域の移動体通信網の通信圏内の中狭域の移動体通信網の通信圏を通過して該広域の移動体通信網の通信圏へと移動する場合、前記選択送信ステップは、前記移動情報端末装置が中狭域の移動体通信網の通信圏に在圏している場合は前記情報端末装置側送信ステップで送信された基本符号及び１つ以上の付加符号を該中狭域の移動体通信網側に送信し、前記移動情報端末装置が中狭域の移動体通信網の通信圏に在圏していない場合は前記情報端末装置側送信ステップで送信された基本符号を選択して広域の移動体通信網側に送信することができる。
【００３２】
この発明の通信方法は、通信性能の異なる複数の移動体通信網とＩＰ網とを介した情報端末装置と移動情報端末装置との間の通信方法であって、該情報端末装置はＩＰ網及び広域の移動体通信網を介してモビリティ機能を有するルータと接続され、該移動情報端末装置は中狭域の移動体通信網を介して該ルータと通信可能であり、前記情報端末装置と前記移動情報端末装置との間の通信には通信用のデータから所定の方式に基づき取り出した所定の通信品質を有する基本符号及び該基本符号の通信品質を高める１つ以上の付加符号群が用いられており、前記ルータが、前記移動情報端末装置の数の増加による前記広域の移動体通信網の負荷の増大に応じて、該移動情報端末装置又は前記情報端末装置から送信された基本符号のみを中継することを特徴とする。
【発明の効果】
【００３３】
本発明の通信システム等によれば、携帯電話器の符号作成部が、通信用のデータから所定の通信品質を有する基本符号と基本符号の通信品質を高める１つ以上の付加符号とを所定の方式に基づき作成する。通信システムにおいて、携帯電話器が広域網の通信圏から広域網の通信圏内の中狭域の移動体通信網の通信圏を通過して、再び広域網の通信圏へと移動する場合、携帯電話器の送信部は、移動体通信網の通信性能に応じて、広域網側には基本符号を送信し続け、携帯電話器が中狭域の移動体通信網の通信圏に在圏した際に、中狭域の移動体通信網側に１つ以上の付加符号等を送信する。中継サーバサーバ側送信部は、送信部によって中狭域の移動体通信網側から付加符号等が送信されない場合は、広域網側から送信された基本符号をＩＰ網を介してＰＣ側へ送信する。一方、サーバ側送信部は、送信部により中狭域の移動体通信網側から１つ以上の付加符号が送信された場合は、広域網側から送信された基本符号および中狭域の移動体通信網側から送信された１つ以上の付加符号をＩＰ網を介してＰＣ側へ送信する。この結果、最低限度の通信品質を有する基本符号は常に広域網側で送信されているため、広域網から中狭域の移動体通信網へと通話を切替えた場合、および中狭域の移動体通信網から広域網へと通話を切替えた場合、切替時に通話途切れが発生することを防止することができる。さらに、中狭域の移動体通信網経由で通話中は１つ以上の付加符号を送信することができるため、高音質の通話を実現することができる。従って、ＩＰモビリティを実現するために無線回線の切替を行う場合、切替時に発生しやすい通話途切れを防止することができるという効果がある。
【発明を実施するための最良の形態】
【００３４】
以下、各実施例について図面を参照して詳細に説明する。
【実施例１】
【００３５】
図１は、本発明の実施例１における通信システム１を示す。図１において、符号６０はＩＰ網、１２はルーティング機能を有しＩＰ網６０と接続されたルータ、１０はルータ１２を介してＩＰ網６０と接続された電話事業者Ａの事業者Ａ側サーバ、１４は事業者Ａ側サーバ１０と接続された電話事業者Ａの移動体通信網、１６は移動体通信網１４に接続された基地局、１８は移動体通信網１４の通信範囲であるエリア（通信圏）、２０は携帯電話器（移動情報端末装置）であり、位置Ｐ１に存在しエリア１８内に在圏している。ＩＰ網６０としては、例えばＩＰ−ＶＰＮ（Virtual Private Network）および広域イーサネット（登録商標）網等の閉域ＩＰ網、またはインターネット等が挙げられる。広域イーサネット（登録商標）網の動作レイヤはＯＳＩ（Open Systems Interconnection）の第２層であるため、ＩＰパケット以外のパケットでも利用可能であるが、ここではＩＰパケットを用いた場合を考えるものとする。次に、符号３２はルーティング機能を有しＩＰ網６０と接続されたルータ、３０はルータ３２を介してＩＰ網６０と接続された電話事業者Ｂの事業者Ｂ側サーバ、３４は事業者Ｂ側サーバ３０と接続された電話事業者Ｂの移動体通信網１４とは通信性能の異なる移動体通信網、３６は移動体通信網３４に接続されたアクセスポイント、３８は移動体通信網３４の通信範囲であるエリアである。続いて、符号４１はルーティング機能を有しＩＰ網６０と接続されたルータ、４０はルータ４１を介してＩＰ網６０と接続された中継サーバ（サーバ）、５２はルーティング機能を有しＩＰ網６０と接続されたルータ、５０はルータ５２を介してＩＰ網６０と接続された、有線ブロードバンド回線に接続されているパーソナルコンピュータＰＣ（情報端末装置）である。図１に示されるように、通信システム１は、携帯電話器２０と、通信性能の異なる複数の移動体通信網１４および３４とＩＰ網６０とを介して携帯電話器２０と通信可能な中継サーバ４０と、中継サーバ４０とＩＰ網６０を介して接続されたＰＣ５０とを備えている。図１では、携帯電話器２０がエリア１８内の位置Ｐ１からエリア３８内の位置Ｐ２へ移動し、その後、エリア３８を通過（逸脱）して、エリア１８内の位置Ｐ３へ移動する例を示している。
【００３６】
次に、携帯電話器２０の機能について説明する。図１において、符号２２は携帯電話器２０の機能を示す機能ブロックであり、符号作成部（符号作成手段）２４と送信部（送信手段）２６とを有している。符号作成部２４は、ＰＣ５０側へ送信するための通信用のデータから所定の通信品質を有する基本符号と基本符号の通信品質を高めるために用いられる１つ以上の付加符号とを所定の方式に基づき作成する機能を有している。送信部２６は、符号作成部２４により作成された基本符号と移動体通信網１４または３４の通信性能に応じた数の付加符号とを中継サーバ４０側へ送信する機能を有している。
【００３７】
ここで、基本符号と付加符号とについて説明する。図２は、ＰＣ５０側へ送信するための通信用のデータの変化を示す。図２において、横軸は時間、縦軸は信号の変位である。従来技術における送信では、図２に示されるような通信用のデータから符号化単位時間ｔ（例えば５０ｍｓ）の分だけサンプリングして符号化し、当該符号化により作成された汎用符号（固定レート符号化データ等）をパケット化して移動体通信網１４等へ送り出している。
【００３８】
図３は、通信システム１で用いられる基本符号７０と付加符号Ａ（７１）、付加符号Ｂ（７２）および付加符号Ｃ（７３）（以下、「付加符号Ａ（７１）等」と言う。）とを示す。符号作成部２４は、図２に示されるような通信用データを符号化単位時間ｔの分だけサンプリングして符号化する際、図３に示されるように通信品質は劣るが音声等として通信相手側が認識できる程度の最低限度の通信品質（所定の通信品質）を有する基本符号７０（例えば１６Ｂ（バイト））と、基本符号７０の通信品質を高めるために用いられる１つ以上の付加符号Ａ（７１）等（例えば付加符号Ａ（７１）は８Ｂ、付加符号Ｂ（７２）は３２Ｂ、付加符号Ｃ（７３）は６４Ｂ）とを所定の方式に基づき作成することができる。図３では３種類の付加符号Ａ（７１）等のみ示しているが、付加符号Ａ（７１）等の数は３種類に限定されるものではない。送信部２６は、移動体通信網１４または３４の通信性能（スループット）に応じて、例えばデフォルトでは通常程度の音質を有する基本符号７０および付加符号Ａ（７１）を、スループットが低い場合は品質的には劣る音である基本符号７０を、スループットが高い場合は良い音である基本符号７０、付加符号Ａ（７１）およびＢ（７２）を、スループットが極めて高い場合優れた音質を有する基本符号７０、付加符号Ａ（７１）、Ｂ（７２）およびＣ（７３）を、各々中継サーバ４０側へ送信する機能を有している。上記の所定の方式としては、例えばスケーラブル映像符号化技術で用いられている、１つの映像データから複数の異なるビットレートの映像データを取り出す符号化方式が挙げられる。スケーラブル映像符号化技術を応用して、１つの音声フレームを複数の符号（基本符号７０、付加符号Ａ（７１）等）に分けて音声圧縮すればよい。通信相手側では、受信した基本符号７０および１以上の付加符号Ａ（７１）等を適宜復号化して重ね合わせることにより、移動体通信網１４等の通信性能に応じて粗い音質から優れた音質まで再現することができる。
【００３９】
図４は、図１に示される移動体通信網１４等の通信性能について比較する比較表８０を示す。図４に示されるように、比較表８０は通信種別欄８５、実質速度欄８６、エリア欄８７およびビット当りコスト欄８８を有している。比較表８０の行８１における通信種別欄８５の内容は無線ＬＡＮ（ＩＥＥＥ（Institute of Electrical and Electronics Engineers : 米国電気電子技術者協会）８０２．１１ｂ規格）であり、実質速度欄８６の値は５Ｍｂｐｓ、エリア欄８７の内容はスポット的な広さであり、ビット当りコスト欄８８の内容は小程度のものとなっている。比較表８０の行８２における通信種別欄８５の内容はＷｉＭＡＸ（下り。Worldwide Interoperability for Microwave Accessの略。ＩＥＥＥ８０２．１６ｅ規格）であり、実質速度欄８６の値は１．５Ｍｂｐｓ、エリア欄８７の内容は都市部（本出願の出願時における予定）を対象領域とし、ビット当りコスト欄８８の内容は中程度のものとなっている。上述の移動体通信網３４は、ＷｉＭＡＸ（中域移動体通信網）からホットスポット的な無線ＬＡＮ（狭域移動体通信網）までの範囲（ＷｉＭＡＸおよび無線ＬＡＮを含む。）の移動体通信網（中狭域の移動体通信網）であることが好適である。比較表８０の行８３における通信種別欄８５の内容はａｕ  ＷＩＮ（下り。ａｕは登録商標）であり、実質速度欄８６の値は８００ｋｂｐｓ、エリア欄８７の内容は全国を対象とする広域であり、ビット当りコスト欄８８の内容は大きいものとなっている。比較表８０の行８４における通信種別欄８５の内容は参考のために示される有線回線であり、実質速度欄８６の値は５０Ｍｂｐｓ、ビット当りコスト欄８８の内容は極小となっている。比較表８０に示されるように移動体通信網の速度、エリアおよびビット当りコスト等の通信性能は様々であり、送信部２６は携帯電話器２０が在圏している移動体通信網１４等の通信性能に応じて基本符号７０と１つ以上の付加符号Ａ（７１）等とを使い分けて送信する機能を有している。以下の説明では、一例として、移動体通信網１４をａｕ  ＷＩＮ（ａｕは登録商標）のような広域網とし、移動体通信網３４を上記中狭域の移動体通信網として説明する。
【００４０】
図１に戻り、中継サーバ４０の機能について説明する。図１において、符号４２は中継サーバ４０の機能を示す機能ブロックであり、サーバ側送信部（サーバ側送信手段）４４を有している。サーバ側送信部４４は、送信部２６により送信された基本符号７０と移動体通信網１４等の通信性能に応じた数の付加符号Ａ（７１）等とをＰＣ５０側へ送信する機能を有している。
【００４１】
次に、通信システム１において、携帯電話器２０が広域網１４（広域の移動体通信網）のエリア１８からエリア１８内の中狭域の移動体通信網３４のエリア３８を通過して、再び広域網１４のエリア１８へと移動する場合における符号伝送について説明する。図５は、携帯電話器２０が広域網１４のエリア１８からエリア１８内の中狭域の移動体通信網３４のエリア３８を通過して、再び広域網１４のエリア１８へと移動する場合における符号伝送について説明するための符号伝送表９０を示し、図６（Ａ）ないし（Ｃ）は当該場合における符号伝送について説明するための模式図を示す。図６（Ａ）ないし（Ｃ）で図１と同じ符号を付した箇所は同じ要素を示すため説明は省略する。図６（Ａ）ないし（Ｃ）では模式図である都合上、広域網１４の基地局１６と中狭域の移動体通信網３４のアクセスポイント３６等は省略して表している。図５に示されるように、符号伝送表９０は携帯電話器２０の在圏状態を示す状態欄９４、広域網１４に伝送される符号の種別を示す広域網１４欄９５、中狭域の移動体通信網３４に伝送される符号の種別を示す中狭域の移動体通信網３４欄９６、ＰＣ５０へ伝送される符号の種別を示すＰＣ５０欄９７を有している。
【００４２】
図５の符号伝送表９０の行９１における各欄９４ないし９７および図６（Ａ）に示されるように、携帯電話器２０が位置Ｐ１に存在しエリア１８に在圏している場合、送信部２６は広域網１４には基本符号７０を送信し、中継サーバ４０は基本符号７０を広域網１４側から受信する。送信部２６は広域網１４の通信性能に応じて基本符号７０のみ送信し、付加符号Ａ（７１）等は送信しない。以上の通信状況を、図６（Ａ）では広域網１４からＩＰ網６０を経由して中継サーバ４０へと伸びるパイプ中の矢印７０（Ｓ２１）で示す。矢印７０の「７０」は基本符号７０を意味し、Ｓ２１については後述する（以下同様）。符号伝送表９０の行９１における中狭域の移動体通信網３４欄９６および図６（Ａ）に示されるように、送信部２６は中狭域の移動体通信網３４には符号は何も送信しないため、中継サーバ４０は中狭域の移動体通信網３４側では送信部２６から何の符号も受信しないことになる。符号伝送表９０の行９１におけるＰＣ５０欄９７および図６（Ａ）に示されるように、中継サーバ４０は広域網１４側から受信した基本符号７０をＩＰ網６０を介してＰＣ５０側へ送信する。以上の通信状況を、図６（Ａ）では中継サーバ４０からＩＰ網６０を経由してＰＣ５０へと伸びるパイプ中の矢印７０（Ｓ３１）で示す。
【００４３】
続いて、図５の符号伝送表９０の行９２における各欄９４ないし９７および図６（Ｂ）に示されるように、携帯電話器２０が位置Ｐ２に存在しエリア３８に在圏している場合、送信部２６は広域網１４側にはその通信性能に応じて基本符号７０のみ送信し、中狭域の移動体通信網３４側にはその通信性能に応じて１つ以上の付加符号Ａ（７１）等を送信する。中継サーバ４０はこの基本符号７０を広域網１４側から受信し、１つ以上の付加符号Ａ（７１）等を中狭域の移動体通信網３４側から受信する。以上の通信状況を、図６（Ｂ）では広域網１４からＩＰ網６０を経由して中継サーバ４０へと伸びるパイプ中の矢印７０（Ｓ２１）と中狭域の移動体通信網３４からＩＰ網６０を経由して中継サーバ４０へと伸びるパイプ中の矢印Ａ（７１）等（Ｓ２２）とで示す。符号伝送表９０の行９２におけるＰＣ５０欄９７および図６（Ｂ）に示されるように、中継サーバ４０は広域網１４側から受信した基本符号７０と中狭域の移動体通信網３４側から受信した１つ以上の付加符号Ａ（７１）等とをＩＰ網６０を介してＰＣ５０側へ送信する。以上の通信状況を、図６（Ｂ）では中継サーバ４０からＩＰ網６０を経由してＰＣ５０へと伸びるパイプ中の矢印７０＋Ａ（７１）等（Ｓ３２）で示す。
【００４４】
図５の符号伝送表９０の行９３における各欄９４ないし９７および図６（Ｃ）に示されるように、携帯電話器２０がエリア３８を逸脱して位置Ｐ３に存在しエリア１８に在圏している場合、送信部２６は広域網１４に基本符号７０を送信し、中継サーバ４０は基本符号７０を広域網１４側から受信する。送信部２６は広域網１４の通信性能に応じて基本符号７０のみ送信し、付加符号Ａ（７１）等は送信しない。以上の通信状況を、図６（Ｃ）では広域網１４からＩＰ網６０を経由して中継サーバ４０へと伸びるパイプ中の矢印７０（Ｓ２１）で示す。符号伝送表９０の行９３における中狭域の移動体通信網欄９６および図６（Ｃ）に示されるように、送信部２６は中狭域の移動体通信網３４には符号は何も流さないため、中継サーバ４０は中狭域の移動体通信網３４側では送信部２６から何の符号も受信しない。符号伝送表９０の行９３におけるＰＣ５０欄９７および図６（Ｃ）に示されるように、中継サーバ４０は広域網１４側から受信した基本符号７０をＩＰ網６０を介してＰＣ５０側へ送信する。以上の通信状況を、図６（Ｃ）では中継サーバ４０からＩＰ網６０を経由してＰＣ５０へと伸びるパイプ中の矢印７０（Ｓ３１）で示す。
【００４５】
以上のように、通信システム１において、携帯電話器２０が広域網１４のエリア１８からエリア１８内の中狭域の移動体通信網３４のエリア３８を通過して、再び広域網１４のエリア１８へと移動する場合、送信部２６は、移動体通信網１４等の通信性能に応じて、広域網１４側には基本符号７０を送信し続け、携帯電話器２０が中狭域の移動体通信網３４のエリア３８に在圏した際に、中狭域の移動体通信網３４側に１つ以上の付加符号Ａ（７１）等を送信する。中継サーバ４０のサーバ側送信部４４は、送信部２６によって中狭域の移動体通信網３４側から付加符号Ａ（７１）等が送信されない場合は、広域網１４側から送信された基本符号７０をＩＰ網６０を介してＰＣ５０側へ送信する。一方、サーバ側送信部４４は、送信部２６により中狭域の移動体通信網３４側から１つ以上の付加符号Ａ（７１）等が送信された場合は、広域網１４側から送信された基本符号７０および中狭域の移動体通信網３４側から送信された１つ以上の付加符号Ａ（７１）等をＩＰ網６０を介してＰＣ５０側へ送信する。上述の符号伝送表９０は携帯電話器２０の記録装置１４８ａ等（後述）に記録しておき、送信部２６は符号伝送表９０に基づき上述の送信処理を行うようにしてもよい。あるいは、符号伝送表９０は送信部２６の機能（プログラム）中に取り込んでおいてもよい。上述した携帯電話器２０の機能はソフトウェアにより実現することが好適であるが、ハードウェアにより一部または全部を実現してもよい。上述した中継サーバ４０の機能はソフトウェアにより実現することが好適である。
【００４６】
図７は、本発明の実施例１における通信方法またはプログラムの流れをフローチャートで示す。当該通信方法は通信性能の異なる複数の移動体通信網１４、３４等とＩＰ網６０とを介した携帯電話器２０からＰＣ５０への通信方法であって、図１に示されるように、携帯電話器２０はＩＰ網６０を介して中継サーバ４０と接続され、携帯電話器２０は複数の移動体通信網１４、３４等およびＩＰ網６０を介して中継サーバ４０と通信可能となっている。図７に示されるように、携帯電話器２０が、通信用のデータから所定の通信品質を有する基本符号７０と基本符号７０の通信品質を高める１つ以上の付加符号Ａ（７１）等とを所定の方式に基づき作成する（符号作成ステップ。ステップＳ１０）。次に、符号作成ステップ（ステップＳ１０）で作成された基本符号７０と移動体通信網１４等の通信性能に応じた数の付加符号Ａ（７１）等とを中継サーバ４０側へ送信する（送信ステップ。ステップＳ２０）。続いて、中継サーバ４０が、送信ステップ（ステップＳ２０）で送信された基本符号７０と移動体通信網１４等の通信性能に応じた数の付加符号Ａ（７１）等とをＰＣ５０側へ送信する（サーバ側送信ステップ。ステップＳ３０）。
【００４７】
携帯電話器２０が広域網１４のエリア１８からエリア１８内の中狭域の移動体通信網３４のエリア３８を通過して広域網１４のエリア１８へと移動する場合について、図６（Ａ）ないし（Ｃ）を再び用いて本発明の実施例１における通信方法につき説明する。上記送信ステップ（ステップＳ２０）の詳細は、図６（Ａ）ないし（Ｃ）に示されるように、広域網１４側には基本符号７０を送信し続け（ステップＳ２１）、携帯電話器２０が中狭域の移動体通信網３４のエリア３８に在圏した際に中狭域の移動体通信網３４側に１つ以上の付加符号Ａ（７１）等を送信する（ステップＳ２２）となる。上記サーバ側送信ステップ（ステップＳ３０）の詳細は、図６（Ａ）ないし（Ｃ）に示されるように、送信ステップ（ステップＳ２０）で中狭域の移動体通信網３４側から付加符号７１（Ａ）等が送信されない場合は、広域網１４側から送信された基本符号７０をＰＣ５０側へ送信し（ステップＳ３１）、送信ステップ（ステップＳ２０）で中狭域の移動体通信網３４側から１つ以上の付加符号Ａ（７１）等が送信された場合は、広域網１４側から送信された基本符号７０と中狭域の移動体通信網３４側から送信された１つ以上の付加符号Ａ（７１）等とをＰＣ５０側へ送信する（ステップＳ３２）。
【００４８】
以上より、本発明の実施例１によれば、携帯電話器２０の符号作成部２４が、通信用のデータから所定の通信品質を有する基本符号７０と基本符号７０の通信品質を高める１つ以上の付加符号Ａ（７１）等とを所定の方式に基づき作成する。通信システム１において、携帯電話器２０が広域網１４のエリア１８からエリア１８４内の中狭域の移動体通信網３４のエリア３８を通過して、再び広域網１４のエリア１８へと移動する場合、携帯電話器２０の送信部２６は、移動体通信網１４等の通信性能に応じて、広域網１４側には基本符号７０を送信し続け、携帯電話器２０が中狭域の移動体通信網３４のエリア３８に在圏した際に、中狭域の移動体通信網３４側に１つ以上の付加符号Ａ（７１）等を送信する。中継サーバ４０のサーバ側送信部４４は、送信部２６によって中狭域の移動体通信網３４側から付加符号Ａ（７１）等が送信されない場合は、広域網１４側から送信された基本符号をＩＰ網６０を介してＰＣ５０側へ送信する。一方、サーバ側送信部４４は、送信部２６により中狭域の移動体通信網３４側から１つ以上の付加符号Ａ（７１）等が送信された場合は、広域網１４側から送信された基本符号７０および中狭域の移動体通信網３４側から送信された１つ以上の付加符号Ａ（７１）等をＩＰ網６０を介してＰＣ５０側へ送信する。この結果、最低限度の通信品質を有する基本符号７０は常に広域網１４側で送信されているため、広域網１４から中狭域の移動体通信網３４へと通話を切替えた場合、および中狭域の移動体通信網３４から広域網１４へと通話を切替えた場合、切替時に通話途切れが発生することを防止することができる。さらに、中狭域の移動体通信網３４経由で通話中は１つ以上の付加符号Ａ（７１）等を送信することができるため、より高音質の通話を実現することができる。従って、ＩＰモビリティを実現するために無線回線の切替を行う場合、切替時に発生しやすい通話途切れを防止することができる通信システム等を提供することができる。
【実施例２】
【００４９】
実施例２では、実施例１と同様に、通信システム１において、携帯電話器２０が広域網１４のエリア１８からエリア１８内の中狭域の移動体通信網３４のエリア３８を通過して、再び広域網１４のエリア１８へと移動する場合における別の符号伝送について説明する。図８は、携帯電話器２０が広域網１４のエリア１８からエリア１８内の中狭域の移動体通信網３４のエリア３８を通過して、再び広域網１４のエリア１８へと移動する場合における別の符号伝送について説明するための符号伝送表１００を示し、図９（Ａ）ないし（Ｃ）は当該場合における別の符号伝送について説明するための模式図を示す。図８で図５と同じ符号を付した箇所は同じ要素を示すため説明は省略する。図９（Ａ）ないし（Ｃ）で図１と同じ符号を付した箇所は同じ要素を示すため説明は省略する。
【００５０】
図８の符号伝送表１００の行９１における各欄９４ないし９７および図９（Ａ）に示されるように、携帯電話器２０が位置Ｐ１に存在しエリア１８に在圏している場合、実施例１と同様に送信部２６は広域網１４には基本符号７０を送信し、中継サーバ４０は基本符号７０を広域網１４側から受信する。送信部２６は広域網１４の通信性能に応じて基本符号７０のみ送信し、付加符号Ａ（７１）等は送信しない。以上の通信状況を、図９（Ａ）では広域網１４からＩＰ網６０を経由して中継サーバ４０へと伸びるパイプ中の矢印７０（Ｓ２１）で示す。符号伝送表１００の行９１における中狭域の移動体通信網３４欄９６および図９（Ａ）に示されるように、実施例１と同様に送信部２６は中狭域の移動体通信網３４には符号は何も送信しないため、中継サーバ４０は中狭域の移動体通信網３４側では送信部２６から何の符号も受信しないことになる。符号伝送表１００の行９１におけるＰＣ５０欄９７および図９（Ａ）に示されるように、中継サーバ４０は広域網１４側から受信した基本符号７０をＩＰ網６０を介してＰＣ５０側へ送信する。以上の通信状況を、図９（Ａ）では中継サーバ４０からＩＰ網６０を経由してＰＣ５０へと伸びるパイプ中の矢印７０（Ｓ３１）で示す。
【００５１】
続いて、図８の符号伝送表１００の行９２における各欄９４ないし９７および図９（Ｂ）に示されるように、携帯電話器２０が位置Ｐ２に存在しエリア３８に在圏している場合、実施例１と異なり、送信部２６は中狭域の移動体通信網３４側にはその通信性能に応じて基本符号７０および１つ以上の付加符号Ａ（７１）等を送信する。一方、送信部２６は広域網１４側には何も送信しない。中継サーバ４０は基本符号７０と１つ以上の付加符号Ａ（７１）等とを中狭域の移動体通信網３４側から受信する。以上の通信状況を、図９（Ｂ）では中狭域の移動体通信網３４からＩＰ網６０を経由して中継サーバ４０へと伸びるパイプ中の矢印７０＋Ａ（７１）等（Ｓ２３）で示す。符号伝送表１００の行９２におけるＰＣ５０欄９７および図９（Ｂ）に示されるように、中継サーバ４０は中狭域の移動体通信網３４側から受信した基本符号７０と１つ以上の付加符号Ａ（７１）等とをＩＰ網６０を介してＰＣ５０側へ送信する。以上の通信状況を、図９（Ｂ）では中継サーバ４０からＩＰ網６０を経由してＰＣ５０へと伸びるパイプ中の矢印７０＋Ａ（７１）等（Ｓ３２）で示す。
【００５２】
図８の符号伝送表１００の行９３における各欄９４ないし９７および図９（Ｃ）に示されるように、携帯電話器２０がエリア３８を逸脱して位置Ｐ３に存在しエリア１８に在圏している場合、実施例１と同様に送信部２６は広域網１４に広域網１４の通信性能に応じて基本符号７０を送信し、中継サーバ４０は基本符号７０を広域網１４側から受信する。送信部２６は広域網１４の通信性能に応じて付加符号Ａ（７１）等は送信しない。以上の通信状況を、図９（Ｃ）では広域網１４からＩＰ網６０を経由して中継サーバ４０へと伸びるパイプ中の矢印７０（Ｓ２１）で示す。符号伝送表１００の行９３における中狭域の移動体通信網欄９６および図９（Ｃ）に示されるように、送信部２６は中狭域の移動体通信網３４には符号は何も流さないため、中継サーバ４０は中狭域の移動体通信網３４側では送信部２６から何の符号も受信しない。符号伝送表１００の行９３におけるＰＣ５０欄９７および図９（Ｃ）に示されるように、中継サーバ４０は広域網１４側から受信した基本符号７０をＩＰ網６０を介してＰＣ５０側へ送信する。以上の通信状況を、図９（Ｃ）では中継サーバ４０からＩＰ網６０を経由してＰＣ５０へと伸びるパイプ中の矢印７０（Ｓ３１）で示す。
【００５３】
以上のように、通信システム１において、携帯電話器２０が広域網１４のエリア１８からエリア１８内の中狭域の移動体通信網３４のエリア３８を通過して、再び広域網１４のエリア１８へと移動する場合、送信部２６は、移動体通信網１４等の通信性能に応じて、携帯電話器２０が中狭域の移動体通信網３４のエリア３８に在圏していない場合は広域網１４側に基本符号７０を送信し、携帯電話器２０が中狭域の移動体通信網３４のエリア３８に在圏した際に、中狭域の移動体通信網３４側に基本符号７０および１つ以上の付加符号Ａ（７１）等を送信する。中継サーバ４０のサーバ側送信部４４は、送信部２６によって中狭域の移動体通信網３４側から基本符号７０および付加符号Ａ（７１）等が送信されない場合は、広域網１４側から送信された基本符号７０をＩＰ網６０を介してＰＣ５０側へ送信する。一方、サーバ側送信部４４は、送信部２６により中狭域の移動体通信網３４側から基本符号７０および１つ以上の付加符号Ａ（７１）等が送信された場合は、中狭域の移動体通信網３４側から送信された基本符号７０および１つ以上の付加符号Ａ（７１）等をＩＰ網６０を介してＰＣ５０側へ送信する。
【００５４】
携帯電話器２０が広域網１４のエリア１８からエリア１８内の中狭域の移動体通信網３４のエリア３８を通過して広域網１４のエリア１８へと移動する場合について、図９（Ａ）ないし（Ｃ）を再び用いて本発明の実施例２における通信方法につき説明する。実施例２では実施例１で説明した送信ステップ（ステップＳ２０）の詳細は、図９（Ａ）ないし（Ｃ）に示されるように、携帯電話器２０が中狭域の移動体通信網３４のエリア３８に在圏していない場合は広域網１４側に基本符号７０を送信し（ステップＳ２１）、携帯電話器２０が中狭域の移動体通信網３４のエリア３８に在圏した際に中狭域の移動体通信網３４側に基本符号７０および１つ以上の付加符号Ａ（７１）等を送信する（ステップＳ２３）となる。実施例１で説明したサーバ側送信ステップ（ステップＳ３０）の詳細は、図９（Ａ）ないし（Ｃ）に示されるように、送信ステップ（ステップＳ２０）で中狭域の移動体通信網３４側から基本符号７０および１つ以上の付加符号７１（Ａ）等が送信されない場合は、広域網１４側から送信された基本符号７０をＰＣ５０側へ送信し（ステップＳ３１）、送信ステップ（ステップＳ２０）で中狭域の移動体通信網３４側から基本符号７０および１つ以上の付加符号Ａ（７１）等が送信された場合は、中狭域の移動体通信網３４側から送信された基本符号７０と１つ以上の付加符号Ａ（７１）等とをＰＣ５０側へ送信する（ステップＳ３２）。
【００５５】
以上より、本発明の実施例２によれば、携帯電話器２０が中狭域の移動体通信網３４のエリア３８に在圏していない場合は実施例１と同様に広域網１４側に基本符号７０を送信する。一方、携帯電話器２０が中狭域の移動体通信網３４のエリア３８に在圏している場合は、実施例１と異なり中狭域の移動体通信網３４側にまとめて基本符号７０および１つ以上の付加符号Ａ（７１）等を送信する。中継サーバ４０は、中狭域の移動体通信網３４側から基本符号７０および１つ以上の付加符号７１（Ａ）等が送信されない場合は、広域網１４側から送信された基本符号７０をＰＣ５０側へ送信する。一方、中狭域の移動体通信網３４側から基本符号７０および１つ以上の付加符号Ａ（７１）等が送信された場合は、中狭域の移動体通信網３４側から送信された基本符号７０と１つ以上の付加符号Ａ（７１）等とをＰＣ５０側へ送信する。図４の比較表８０で説明したように、ビット当りコストはａｕ  ＷＩＮ（ａｕは登録商標）のような広域網１４では大きいが、中狭域の移動体通信網では小さい。従って、携帯電話器２０が中狭域の移動体通信網３４のエリア３８に在圏している場合、基本符号７０と１つ以上の付加符号Ａ（７１）等とを中狭域の移動体通信網３４側でまとめて送信するという実施例２の方が、広域網１４と中狭域の移動体通信網３４とに経路を分けて送信するという実施例１の方より通信費用を低減させることが可能である。
【実施例３】
【００５６】
実施例３では基本的に実施例２と同様の処理を行う。但し、携帯電話器２０が中狭域の移動体通信網３４のエリア３８を逸脱する際に、中狭域の移動体通信網３４側の電波（強度）の弱まり方に応じた通信方法を用いる点が異なる。図１０は、携帯電話器２０が広域網１４のエリア１８からエリア１８内の中狭域の移動体通信網３４のエリア３８を通過して、再び広域網１４のエリア１８へと移動する場合における他の符号伝送について説明するための符号伝送表１１０を示し、図１１は当該場合における他の符号伝送について説明するための模式図を示す。図１０で図８と同じ符号を付した箇所は同じ要素を示すため説明は省略する。図１１で図１と同じ符号を付した箇所は同じ要素を示すため説明は省略する。
【００５７】
図１０の符号伝送表１１０は、実施例２における図８の符号伝送表１００と比較して新たに行９８が行９２と９３との間に入っただけで他は同様である。従って、行９１、９２および行９３の処理についての説明は実施例２における説明と同様であるため一部を除き省略する。
【００５８】
図１０の符号伝送表１１０の行９２における各欄９４ないし９７に示されるように、携帯電話器２０が位置Ｐ２（図９（Ｂ）参照）に存在しエリア３８に在圏している場合であって且つ中狭域の移動体通信網３４側の電波強度が所定の強度以上である場合（例えば、電波強度が−６５ｄＢｍ程度よりも良好な場合）は、実施例２と同様に、送信部２６は中狭域の移動体通信網３４側に基本符号７０および１つ以上の付加符号Ａ（７１）等を送信する。中継サーバ４０は実施例２と同様に基本符号７０と１つ以上の付加符号Ａ（７１）等とを中狭域の移動体通信網３４側から受信する。符号伝送表１１０の行９２におけるＰＣ５０欄９７に示されるように、中継サーバ４０は中狭域の移動体通信網３４側から受信した基本符号７０および１つ以上の付加符号Ａ（７１）等をＩＰ網６０を介してＰＣ５０側へ送信する。
【００５９】
しかし、図１０の符号伝送表１１０の行９８における各欄９４ないし９７および図１１に示されるように、携帯電話器２０がエリア３８を逸脱しようとする位置Ｐ４に存在している場合、すなわちエリア３８に在圏しているが中狭域の移動体通信網３４側の電波強度が所定の強度未満である場合（例えば、電波強度が−６５ｄＢｍ程度よりも悪い場合。但し、電波強度がー８０ｄＢｍよりも悪くなった場合は、エリア３８を逸脱した状態となる。）は、実施例２と異なり送信部２６は広域網１４側に基本符号７０を送信し且つ中狭域の移動体通信網３４側に１つ以上の付加符号Ａ（７１）等を送信する。以上の通信状況を、図１１では広域網１４からＩＰ網６０を経由して中継サーバ４０へと伸びるパイプ中の矢印７０（Ｓ２１）と中狭域の移動体通信網３４からＩＰ網６０を経由して中継サーバ４０へと伸びるパイプ中の矢印Ａ７１（Ｓ２２）とで示す。符号伝送表１１０の行９８におけるＰＣ５０欄９７および図１１に示されるように、中継サーバ４０は広域網１４側から受信した基本符号７０と中狭域の移動体通信網３４側から受信した１つ以上の付加符号Ａ（７１）等とをＩＰ網６０を介してＰＣ５０側へ送信する。以上の通信状況を、図９（Ｃ）では中継サーバ４０からＩＰ網６０を経由してＰＣ５０へと伸びるパイプ中の矢印７０＋Ａ（７１）等（Ｓ３２）で示す。
【００６０】
以上のように、通信システム１において、携帯電話器２０が広域網１４のエリア１８からエリア１８内の中狭域の移動体通信網３４のエリア３８を通過して、再び広域網１４のエリア１８へと移動する場合、送信部２６は、移動体通信網１４等の通信性能に応じて、携帯電話器２０が中狭域の移動体通信網３４のエリア３８に在圏していない場合は広域網３４側に基本符号７０を送信する。携帯電話器２０が中狭域の移動体通信網３４のエリア３８に在圏している場合、中狭域の移動体通信網３４側の電波強度が所定の強度以上である場合は中狭域の移動体通信網３４側に基本符号７０および１つ以上の付加符号Ａ（７１）等を送信し、中狭域の移動体通信網３４側の電波強度が所定の強度未満である場合は広域網１４側に基本符号７０を送信し且つ中狭域の移動体通信網３４側に１つ以上の付加符号Ａ（７１）等を送信する。サーバ側送信部４４は、送信部２６により広域網１４側から基本符号７０が送信され、且つ中狭域の移動体通信網３４側から１つ以上の付加符号Ａ（７１）等または基本符号７０および１つ以上の付加符号Ａ（７１）等のいずれも送信されない場合は、広域網１４側から送信された基本符号７０をＰＣ５０側へ送信する。送信部２６により広域網１４側から基本符号７０が送信されない場合は中狭域の移動体通信網３４側から送信された基本符号７０および１つ以上の付加符号Ａ（７１）等をＰＣ５０側へ送信する。送信部２６により広域網１４側から基本符号７０が送信され、且つ中狭域の移動体通信網３４側から１つ以上の付加符号Ａ（７１）等が送信された場合は、基本符号７０および１つ以上の付加符号Ａ（７１）等をＰＣ５０側へ送信する。
【００６１】
携帯電話器２０が広域網１４のエリア１８からエリア１８内の中狭域の移動体通信網３４のエリア３８を通過して広域網１４のエリア３８へと移動する場合について、図１１を再び用いて本発明の実施例３における通信方法につき説明する。実施例３では実施例１で説明した送信ステップ（ステップＳ２０）の詳細は、携帯電話器２０が中狭域の移動体通信網３４のエリア３８に在圏していない場合は実施例２と同様に広域網１４側に基本符号７０を送信する（ステップＳ２１）。携帯電話器２０が中狭域の移動体通信網３４のエリア３８に在圏している場合に、中狭域の移動体通信網側の電波強度が所定の強度以上である場合は、実施例２と同様に中狭域の移動体通信網３４側に基本符号７０および１つ以上の付加符号Ａ（７１）等を送信する。しかし、中狭域の移動体通信網３４側の電波強度が所定の強度未満である場合は、実施例２と異なり広域網１４側に基本符号７０を送信し（ステップＳ２１）且つ中狭域の移動体通信網３４側に１つ以上の付加符号Ａ（７１）等を送信する（ステップ２２）。実施例１で説明したサーバ側送信ステップ（ステップＳ３０）の詳細は、送信ステップ（ステップＳ２０）で広域網１４側から基本符号７０が送信され、且つ中狭域の移動体通信網３４側から１つ以上の付加符号Ａ（７１）等または基本符号７０および１つ以上の付加符号Ａ（７１）等のいずれも送信されない場合は、広域網１４側から送信された基本符号７０をＰＣ５０側へ送信する。送信ステップ（ステップＳ２０）で広域網１４側から基本符号７０が送信されない場合は、中狭域の移動体通信網３４側から送信された基本符号７０および１つ以上の付加符号Ａ（７１）等をＰＣ５０側へ送信する（ステップＳ３２）。送信ステップ（ステップＳ２０）で広域網１４側から基本符号７０が送信され且つ中狭域の移動体通信網３４側から１つ以上の付加符号Ａ（７１）等が送信された場合は、当該基本符号７０および当該１つ以上の付加符号Ａ（７１）等をＰＣ５０側へ送信する（ステップＳ３２）。
【００６２】
以上より、本発明の実施例３によれば、中狭域の移動体通信網３４側の電波が弱まりつつある段階で基本符号７０のみ広域網１４側に切替えて送信し、１つ以上の付加符号Ａ（７１）等は中狭域の移動体通信網３４側を完全に使用できなくなるまで中狭域の移動体通信網３４側で送信し続ける。中狭域の移動体通信網３４側から広域網１４側へ逸脱する際は通信品質が不安定になりやすいため、中狭域の移動体通信網３４側の電波が弱まりつつある段階で予め基本符号７０のみ広域網１４側に切替えて送信することにより、中狭域の移動体通信網３４側から広域網１４側へ逸脱する際の通信品質をより安定させることができる。
【実施例４】
【００６３】
上述した実施例１ないし３では、基本符号７０および付加符号Ａ（７１）等を用いて携帯電話器２０から中継サーバ４０へ、および中継サーバ４０からＰＣ５０へ通信を行った。この場合、ＰＣ５０側でも同様の符号を用いる方式を具備している必要がある。そこで、実施例４ではＰＣ５０側で同様の符号を用いる方式を具備していない場合の処理について説明する。
【００６４】
図１２は、通信システム１において、携帯電話器２０が広域網１４のエリア１８からエリア１８４内の中狭域の移動体通信網３４のエリア３８を通過して、再び広域網１４のエリア３８へと移動する場合における符号変換を伴う符号伝送について説明するための符号伝送表１２０を示す図である。図１２で図５と同じ符号を付した箇所は同じ要素を示すため説明は省略する。図１２に示される符号伝送表１２が図５に示される実施例１の符号伝送表９０と異なる点は、ＰＣ５０欄９７の内容が、すべて汎用符号に置き換えられている点である。すなわち、サーバ側送信部４４がＰＣ５０側へ送信する基本符号７０または基本符号７０および１つ以上の付加符号Ａ（７１）等は、広く普及している汎用的な符号（所定の汎用符号）へと変換された後にＰＣ５０側へ送信される。所定の汎用符号としては、例えば固定レート符号化データ等が好適である。この結果、ＰＣ５０側で基本符号７０と付加符号Ａ（７１）等とに分けた符号を用いる方式を具備していない場合であっても、汎用符号を用いているためＰＣ５０側で復号することが可能となる。以上の説明では、実施例１の符号伝送表９０を用いて説明したが、実施例２の符号伝送表１００（図８）と実施例３の符号伝送表１１０（図１０）とについても同様に、汎用符号へと変換された後にＰＣ５０側へ送信することができる。
【００６５】
本発明の実施例４における通信方法は、実施例１に対応する場合、送信ステップ（ステップＳ２０）の詳細は同様であるため説明は省略する。サーバ側送信ステップ（ステップＳ３０）でＰＣ５０側へ送信する基本符号７０または基本符号７０および１つ以上の付加符号Ａ（７１）等は、変換された所定の汎用符号となる。実施例２に対応する場合と実施例３に対応する場合とは、実施例１に対応する場合と同様であるため、説明は省略する。
【００６６】
以上より、本発明の実施例４によれば、サーバ側送信部４４がＰＣ５０側へ送信する基本符号７０または基本符号７０および１つ以上の付加符号Ａ（７１）等は、広く普及している汎用的な符号（所定の汎用符号）へと変換された後にＰＣ５０側へ送信される。この結果、ＰＣ５０側で基本符号７０と付加符号Ａ（７１）等とに分けた符号を用いる方式を具備していない場合であっても、ＰＣ５０側で復号することが可能となる。従って、実施例１ないし３の各効果に加え、ＰＣ５０側で基本符号７０と付加符号Ａ（７１）等とに分けた符号を用いているか否かを問わないですませることができる。
【実施例５】
【００６７】
上述した実施例１ないし４では、携帯電話器２０側から中継サーバ４０を介してＰＣ５０側へ送信する場合について説明した。実施例５では、逆にＰＣ５０側から中継サーバ４０を介して携帯電話器２０側へ送信する場合について説明する。基本的には一部の変更をのぞき図１に示される通信システム１と同様の構成を用い（「通信システム（１）」と言う。）、図３に示される基本符号７０および付加符号Ａ（７１）等と同様の符号を用いる。
【００６８】
まず、ＰＣ５０の機能について説明する。ＰＣ５０は、上述した基本符号７０および１つ以上の付加符号Ａ（７１）等を送信する情報端末装置側送信部（情報端末装置側送信手段。不図示）を備えている。次に、中継サーバ４０の機能について説明する。中継サーバ４０は、情報端末装置側送信部により送信された基本符号７０および１つ以上の付加符号Ａ（７１）等から選択した符号を携帯電話器２０側へ送信する選択送信部（選択送信手段。不図示）を備えている。
【００６９】
次に、上述した実施例５の通信システム（１）において、携帯電話器２０が広域網１４内の中狭域の移動体通信網３４を通過して広域網１４へと移動する場合における、ＰＣ５０側から携帯電話器２０側への符号伝送について説明する。図１３は、通信システム（１）において、携帯電話器２０が広域網１４のエリア１８内の中狭域の移動体通信網３４のエリア３８を通過して広域網１４のエリア１８へと移動する場合における、ＰＣ５０側から携帯電話器２０側への符号伝送について説明するための符号伝送表１３０を示す。図１４（Ａ）および（Ｂ）は当該場合における符号伝送について説明するための模式図を示す。図１３で図５に用いられている符号（例。９１）にダッシュを付けた符号（例。９１’）は、送信方向がＰＣ５０側から携帯電話器２０側へ向いていることを示し、他は同様であるため説明は省略する。図１４（Ａ）および（Ｂ）で図１と同じ符号を付した箇所は同じ要素を示すため説明は省略する。
【００７０】
図１３の符号伝送表１３０の行９１’における各欄９４’ないし９７’および図１４（Ａ）に示されるように、携帯電話器２０が位置Ｐ２に存在しエリア３８に在圏している場合、ＰＣ５０側からＩＰ網６０を介して基本符号７０および１以上の付加符号Ａ（７１）等が中継サーバ４０側へ送信される。以上の通信状況を、図１４（Ａ）ではＰＣ５０側からＩＰ網６０を経由して中継サーバ４０へと伸びるパイプ中の矢印７０＋Ａ（７１）等（Ｓ４０）で示す。選択送信部は中狭域の移動体通信網３４側の通信性能に応じて、中狭域の移動体通信網３４側にＰＣ５０側から送信された基本符号７０および１つ以上の付加符号Ａ（７１）等を送信する。携帯電話器２０は基本符号７０および１つ以上の付加符号Ａ（７１）等を中狭域の移動体通信網３４側から受信する。以上の通信状況を、図１４（Ａ）では中継サーバ４０からＩＰ網６０および中狭域の移動体通信網３４を経由して携帯電話器２０側へと伸びるパイプ中の矢印７０＋Ａ（７１）等（Ｓ５１）で示す。符号伝送表１３０の行９１’における広域網１４欄９５’および図１４（Ａ）に示されるように、選択送信部は広域網１４側に符号は何も送信しないため、携帯電話器２０は広域網１４側では選択送信部から何の符号も受信しないことになる。
【００７１】
次に、図１３の符号伝送表１３０の行９２’における各欄９４’ないし９７’および図１４（Ｂ）に示されるように、携帯電話器２０が位置Ｐ１に存在しエリア１８に在圏している場合、選択送信部は、情報端末装置側送信部により送信された基本符号７０および１つ以上の付加符号Ａ（７１）等の中から、広域網１４の通信性能に応じて基本符号７０のみを選択して広域網１４側に送信する。
【００７２】
以上のように、通信システム（１）において、携帯電話器２０が広域網１４のエリア１８内の中狭域の移動体通信網３４のエリア３８を通過して広域網１４のエリア１８へと移動する場合、選択送信部は、携帯電話器２０が中狭域の移動体通信網３４のエリア３８に在圏している場合は情報端末装置側送信部により送信された基本符号７０および１つ以上の付加符号Ａ（７１）等を中狭域の移動体通信網３４側に送信し、携帯電話器２０が中狭域の移動体通信網３４のエリア３８に在圏していない場合は、広域網１４の通信性能に応じて、情報端末装置側送信部により送信された基本符号７０および１つ以上の付加符号Ａ（７１）等の中から基本符号７０のみを選択して広域網１４側に送信する。すなわち、中継サーバ４０は移動体通信網１４等の通信性能に応じて１つ以上の付加符号Ａ（７１）等を強制的に廃棄するというように、移動体通信網１４等側へ送信する符号の取捨選択を行うことができる。
【００７３】
図１５は、本発明の実施例５における通信方法またはプログラムの流れをフローチャートで示す。当該通信方法は通信性能の異なる複数の移動体通信網１４、３４等とＩＰ網６０とを介したＰＣ５０側から携帯電話器２０側への通信方法であって、図１５に示されるように、ＰＣ５０が、基本符号７０および１つ以上の付加符号Ａ（７１）等を送信する（情報端末装置側送信ステップ。ステップＳ４０）。次に、中継サーバ４０が、情報端末装置側送信ステップ（ステップＳ４０）で送信された基本符号７０および１つ以上の付加符号Ａ（７１）等から選択した符号を携帯電話器２０側へ送信する（選択送信ステップ。ステップＳ５０）。
【００７４】
携帯電話器２０が広域網１４のエリア１８内の中狭域の移動体通信網３４のエリア３８を通過して広域網１４のエリア１８へと移動する場合について、図１４（Ａ）および（Ｂ）を再び用いて本発明の実施例５における通信方法につき説明する。上記選択送信ステップ（ステップＳ５０）の詳細は、図１４（Ａ）および（Ｂ）に示されるように、携帯電話器２０が中狭域の移動体通信網３４のエリア３８に在圏している場合は情報端末装置側送信ステップ（ステップＳ４０）で送信された基本符号７０および１つ以上の付加符号Ａ（７１）等を中狭域の移動体通信網３４側に送信する（ステップＳ５１）。一方、携帯電話器２０が中狭域の移動体通信網３４のエリア３８に在圏していない場合は情報端末装置側送信ステップ（ステップＳ４０）で送信された基本符号７０および１つ以上の付加符号Ａ（７１）等の中から基本符号７０を選択して（ステップＳ５２）、広域網１４側に送信する（ステップＳ５３）。
【００７５】
以上より、本発明の実施例５によれば、携帯電話器２０の通話相手が有線ブロードバンド回線に接続されているＰＣ５０のような固定端末等である場合、ＰＣ５０側からは基本符号７０および１以上の付加符号Ａ（７１）等が送信されてくる。通信システム（１）において、携帯電話器２０が広域網１４のエリア１８内の中狭域の移動体通信網３４のエリア３８を通過して広域網１４のエリア３８へと移動する場合、選択送信部は、携帯電話器２０が中狭域の移動体通信網３４のエリア３８に在圏している場合は情報端末装置側送信部により送信された基本符号７０および１つ以上の付加符号Ａ（７１）等を中狭域の移動体通信網３４側に送信する。一方、携帯電話器２０が中狭域の移動体通信網３４のエリア３８に在圏していない場合は、広域網１４の通信性能に応じて情報端末装置側送信部により送信された基本符号７０および１つ以上の付加符号Ａ（７１）等の中から基本符号７０のみを選択して広域網１４側に送信する。すなわち、中継サーバ４０は移動体通信網１４等の通信性能に応じて１つ以上の付加符号Ａ（７１）等を強制的に廃棄するというように、移動体通信網１４等側へ送信する符号の取捨選択を行うことができる。あるいは、移動体通信網１４等との通信状態に応じて、１つ以上の付加符号Ａ（７１）等を段階的に（例えば、まず付加符号Ｃ（７３）、次に付加符号Ｂ（７２）、最後に付加符号Ａ（７１）のように段階的に）付加符号Ａ（７１）等を減らして行ってもよい。この結果、携帯電話器２０の通話相手が有線ブロードバンド回線に接続されているＰＣ５０のような固定端末等である場合に、網の輻輳が発生することを防止することができ、通話を継続するための最低限の品質を保証することができる通信システム等を提供することができる。携帯電話器２０が位置Ｐ２に存在しエリア３８に在圏している場合、選択送信部は中狭域の移動体通信網３４側にＰＣ５０側から送信された１つ以上の付加符号Ａ（７１）等を送信し、広域網１４側にＰＣ５０側から送信された基本符号７０を送信することも可能である。この場合、携帯電話器２０は１つ以上の付加符号Ａ（７１）等を中狭域の移動体通信網３４側から受信し、基本符号７０を広域網１４側から受信することになる。実施例３で説明したように、送信部２６は無線携帯電話器２０が中狭域の移動体通信網３４のエリア３８に在圏している場合、中狭域の移動体通信網３４側の電波強度が所定の強度未満である場合は当該通信状況を中継サーバ４０側へ通知することも可能である。中継サーバ４０側は当該通知に応じて、広域網１４側に基本符号７０を送信し、且つ中狭域の移動体通信網３４側に１つ以上の付加符号Ａ（７１）等を中狭域の移動体通信網３４側を完全に使用できなくなるまで送信し続ける。中継サーバ４０側は、中狭域の移動体通信網３４側を完全に使用できなくなった場合、上述のように１つ以上の付加符号Ａ（７１）等を強制的に廃棄する。実施例４で説明したように、ＰＣ５０側と中継サーバ４０側との間の通信は汎用的な符号を用いることもできる。この場合、中継サーバ４０側で汎用的な符号を基本符号７０と１つ以上の付加符号Ａ（７１）等とに分ける。この後、選択送信部が上述のように中継サーバ４０側から携帯電話器２０側へ送信すればよい。
【実施例６】
【００７６】
実施例５では、移動体通信網１４等の通信性能に応じた符号の取捨選択は中継サーバ４０で行われた。実施例６では、中狭域の移動体通信網３４側に新たに設けられたモバイルルータ（モビリティ機能を有するルータ）側で行われる場合について説明する。基本的には一部の追加、変更をのぞき図１に示される通信システム１と同様の構成を用い（「通信システム（２）」と言う。）、図３に示される基本符号７０および付加符号Ａ（７１）等と同様の符号を用いる。
【００７７】
図１６（Ａ）および（Ｂ）は、通信システム（２）において、中狭域の移動体通信網３４のエリア３８に在圏する携帯電話器２０が増加した場合における符号伝送について説明するための模式図である。図１６で図１と同じ符号を付した箇所は同じ要素を示すため説明は省略する。図１６に示されるように、通信システム（２）は、携帯電話器２０と、携帯電話器２０と中狭域の移動体通信網３４を介して通信可能なモバイルルータ３１と、モバイルルータ３１と広域網１４およびＩＰ網６０を介して通信可能なＰＣ５０、５０ａ（以下、「ＰＣ５６０等」と言う。）とを備えている。図１６（Ａ）および（Ｂ）は模式図であるため、便宜上、中狭域の移動体通信網３４とエリア３８とを１つで表している。図１６（Ａ）および（Ｂ）において、符号３２はモバイルルータ３１の機能を示す機能ブロックであり、中継部（中継手段）３３を備えている。
【００７８】
図１６（Ａ）に示されるように、通信システム（２）では携帯電話器２０が１台程度と数が少ない場合、携帯電話器２０と、モバイルルータ３１、広域網１４、ＩＰ網６０、中継サーバ４０およびＩＰ網６０を介したＰＣ５０等との間の通信は、基本符号７０および１つ以上の付加符号Ａ（７１）等を用いて行う。以上の通信状況を、図１６（Ａ）では携帯電話器２０とモバイルルータ３１との間の矢印７０＋Ａ（７１）等（Ｓ６３）、広域網１４とＩＰ網６０を経由した中継サーバ４０との間のパイプ中の矢印７０＋Ａ（７１）等（Ｓ６２）、中継サーバ４０とＩＰ網６０を経由したＰＣ５０等との間のパイプ中の矢印７０＋Ａ（７１）等（Ｓ６１）で示す。
【００７９】
ここで、図１６（Ｂ）に示されるように、携帯電話器の数が携帯電話器２０、２０ａおよび２０ｂと増加した場合、モバイルルータ３１の中継部３３は、携帯電話器２０の数の増加による広域網１４の負荷の増大に応じて、携帯電話器２０またはＰＣ５０等から送信された基本符号７０のみを中継する。基本符号７０と付加符号Ａ（７１）等との識別は、例えばＩＰパケットのヘッダのＴＯＳ（Type of Service）等を用いることにより行うことができる。ＴＯＳはＩＰパケットのヘッダに含まれる１Ｂのパラメータであり、送信優先度または遅延、スループット、信頼性のいずれを優先するか等の情報が含まれている。そこで、当該パラメータ中に基本符号７０と付加符号Ａ（７１）等との識別子を含ませておけばよい。
【００８０】
図１６（Ａ）および（Ｂ）を再び用いて本発明の実施例６における通信方法につき説明する。図１６（Ａ）に示されるように、携帯電話器２０の数が少ない場合、携帯電話器２０とモバイルルータ３１との間の通信は基本符号および１以上の付加符号Ａ（７１）等で行われ（ステップＳ６３）、広域網１４とＩＰ網６０を経由した中継サーバ４０との間の通信は基本符号および１以上の付加符号Ａ（７１）等で行われ（ステップＳ６２）、中継サーバ４０とＩＰ網６０を経由したＰＣ５０等との間の通信は基本符号および１以上の付加符号Ａ（７１）等で行われる（ステップＳ６１）。
【００８１】
ここで、図１６（Ｂ）に示されるように、携帯電話器の数が増加した場合、モバイルルータ３１の中継部３３は、携帯電話器２０の数の増加による広域網１４の負荷の増大に応じて、携帯電話器２０またはＰＣ５０等から送信された基本符号７０のみを中継する（ステップＳ６４）。以上の通信状況を、図１６（Ｂ）では携帯電話器２０とモバイルルータ３１との間の矢印７０（Ｓ６４）で示す。
【００８２】
以上より、本発明の実施例６によれば、移動体通信網１４等の通信性能に応じた符号の取捨選択を、中狭域の移動体通信網３４（エリア３８）側に新たに設けられたモバイルルータ３１側で行うことができる。中狭域の移動体通信網３４（エリア３８）は移動ホットスポットまたは仮設ＬＡＮ等を表すものとすることが好適である。移動ホットスポットを表すものとする場合、モバイルルータ３１を寝台電車または新幹線等に設置することにより、当該電車内をホットスポットにすることができる。仮設ＬＡＮを表すものとする場合、モバイルルータ３１をイベント会場等に設置することにより、当該イベント会場を臨時のホットスポットにすることができる。
【実施例７】
【００８３】
図１７は、上述した各実施例を実現するための本発明のコンピュータ・プログラムを実行する携帯電話器２０、中継サーバ４０、ルータ３１等のコンピュータの内部回路１４０を示すブロック図である。図１７に示されるように、ＣＰＵ１４１、ＲＯＭ１４２、ＲＡＭ１４３、画像制御部１４６、コントローラ１４７、入力制御部１４９および外部インタフェース（Ｉ／Ｆ）部１５１はバス１５２に接続されている。図１７において、上述の本発明のコンピュータ・プログラムは、ＲＯＭ１４２、ディスク１４８ａまたはＣＤ−ＲＯＭ１４８ｎ等の記録媒体（脱着可能な記録媒体を含む）に記録されている。携帯電話器２０の場合、ディスク１４８ａには符号伝送表９０を記録することができる。本発明のコンピュータ・プログラムは、ＲＯＭ１４２からバス１５２を介し、またはディスク１４８ａ若しくはＣＤ−ＲＯＭ１４８ｎ等の記録媒体からコントローラ１４７を経由してバス１５２を介しＲＡＭ１４３へロードされる。入力制御部１４９は、中継サーバ４０の場合はマウス、テンキー等の入力操作部１５０と、携帯電話器２０の場合は各種のキー等の入力操作部１５０と接続され入力制御等を行う。画像メモリであるＶＲＡＭ１４５は携帯電話器２０の表示部１４４の少なくとも一画面分のデータ容量に相当する容量を有しており、画像制御部１４６はＶＲＡＭ１４５のデータを画像データへ変換して表示部１４４へ送出する機能を有している。外部Ｉ／Ｆ部１５１は、移動体通信網１４、３４、ＩＰ網６０等との間の入出力インタフェース機能を有する。
【００８４】
上述のようにＣＰＵ１４１が上述の本発明のコンピュータ・プログラムを実行することにより、本発明の目的を達成することができる。当該コンピュータ・プログラムは上述のようにＣＤ−ＲＯＭ１４８ｎ等の記録媒体の形態でコンピュータＣＰＵ１４１に供給することができ、当該コンピュータ・プログラムを記録したＣＤ−ＲＯＭ１４８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００８５】
本発明の活用例として、複数の通信性能が異なる移動体通信網を切替えて通信する通信システムへの応用が挙げられる。
【図面の簡単な説明】
【００８６】
【図１】本発明の実施例１における通信システム１を示す図である。
【図２】ＰＣ５０側へ送信するための通信用のデータの変化を示す図である。
【図３】通信システム１で用いられる基本符号７０と１以上の付加符号Ａ（７１）等とを示す図である。
【図４】図１に示される移動体通信網１４等の例について比較する比較表８０を示す図である。
【図５】通信システム１において、携帯電話器２０が広域網１４のエリア１８からエリア１８内の中狭域の移動体通信網３４のエリア３８を通過して、再び広域網１４のエリア１８へと移動する場合における符号伝送について説明するための符号伝送表９０を示す図である。
【図６】通信システム１において、携帯電話器２０が広域網１４のエリア１８からのエリア１８内の中狭域の移動体通信網３４のエリア３８を通過して、再び広域網１４のエリア１８へと移動する場合における符号伝送について説明するための模式図である。
【図７】本発明の実施例１における通信方法の流れを示すフローチャートである。
【図８】通信システム１において、携帯電話器２０が広域網１４のエリア１８からエリア１８内の中狭域の移動体通信網３４のエリア３８を通過して、再び広域網１４のエリア１８へと移動する場合における別の符号伝送について説明するための符号伝送表１００を示す図である。
【図９】通信システム１において、携帯電話器２０が広域網１４のエリア１８からのエリア１８内の中狭域の移動体通信網３４のエリア３８を通過して、再び広域網１４のエリア１８へと移動する場合における別の符号伝送について説明するための模式図である。
【図１０】通信システム１において、携帯電話器２０が広域網１４のエリア１８からのエリア１８内の中狭域の移動体通信網３４のエリア３８を通過して、再び広域網１４のエリア１８へと移動する場合における他の符号伝送について説明するための符号伝送表１１０を示す図である。
【図１１】通信システム１において、携帯電話器２０が広域網１４のエリア１８からのエリア１８内の中狭域の移動体通信網３４のエリア３８を通過して、再び広域網１４のエリア１８へと移動する場合における他の符号伝送について説明するための模式図である。
【図１２】通信システム１において、携帯電話器２０が広域網１４のエリア１８からのエリア１８内の中狭域の移動体通信網３４のエリア３８を通過して、再び広域網１４のエリア１８へと移動する場合における符号変換を伴う符号伝送について説明するための符号伝送表１２０を示す図である。
【図１３】通信システム（１）において、携帯電話器２０が広域網１４のエリア１８内の中狭域の移動体通信網３４のエリア３８を通過して広域網１４のエリア１８へと移動する場合における、ＰＣ５０側から携帯電話器２０側への符号伝送について説明するための符号伝送表１３０を示す図である。
【図１４】通信システム（１）において、携帯電話器２０が広域網１４のエリア１８内の中狭域の移動体通信網３４のエリア３８を通過して広域網１４のエリア１８へと移動する場合における、ＰＣ５０側から携帯電話器２０側への符号伝送について説明するための模式図である。
【図１５】本発明の実施例５における通信方法またはプログラムの流れを示すフローチャートである。
【図１６】通信システム１において、中狭域の移動体通信網３４側に在圏する携帯電話器２０が増加した場合における符号伝送について説明するための模式図である。
【図１７】上述した各実施例を実現するための本発明のコンピュータ・プログラムを実行する携帯電話器２０、中継サーバ４０、ルータ３１等のコンピュータの内部回路１４０を示すブロック図である。
【符号の説明】
【００８７】
１  通信システム、１０  事業者Ａ側サーバ、  １２、３２、４１、５２  ルータ、  １４  移動体通信網（広域網）、  １６  基地局、  １８、３８  エリア、  ２０  携帯電話器、  ２２、３２、４２  機能ブロック、  ２４  符号作成部、  ２６  送信部、  ３０  事業者Ｂ側サーバ、  ３１  モバイルルータ、  ３３  中継部、  ３４  移動体通信網（中狭域の移動体通信網）、  ３６  アクセスポイント、  ４０  中継サーバ、  ４４  サーバ側送信部、  ５０、５０ａ  ＰＣ、６０  ＩＰ網、  ７０  基本符号、  ７１  付加符号Ａ、  ７２  付加符号Ｂ、  ７３  付加符号Ｃ、  ８０  比較表、  ８１、８２、８３、８４、９１、９２、９３、９８  行、  ８５  通信種別欄、  ８６  実質速度欄、  ８７  エリア欄、  ８８  ビット当りコスト欄、  ９０、１００、１１０、１２０、１３０  符号伝送表、  ９４  状態欄、  ９５  広域網１４欄、  ９６  中狭域の移動体通信網３４欄、  ９７  ＰＣ５０欄、  １４０  内部回路、  １４１  ＣＰＵ、  １４２  ＲＯＭ、  １４３  ＲＡＭ、  １４４  表示部、１４５  ＶＲＡＭ、  １４６  画像制御部、  １４７  コントローラ、  １４８ａ  ディスク、  １４８ｎ  ＣＤ−ＲＯＭ、  １４９  入力制御部、  １５０  入力操作部、  １５１  外部Ｉ／Ｆ部、  １５２  バス。
【図１】
2008005418.tif 000003
【図２】
2008005418.tif 000004
【図３】
2008005418.tif 000005
【図４】
2008005418.tif 000006
【図５】
2008005418.tif 000007
【図６】
2008005418.tif 000008
【図７】
2008005418.tif 000009
【図８】
2008005418.tif 000010
【図９】
2008005418.tif 000011
【図１０】
2008005418.tif 000012
【図１１】
2008005418.tif 000013
【図１２】
2008005418.tif 000014
【図１３】
2008005418.tif 000015
【図１４】
2008005418.tif 000016
【図１５】
2008005418.tif 000017
【図１６】
2008005418.tif 000018
【図１７】
2008005418.tif 000019